(57)【要約】【課題】遮熱扉において中骨を無くすことを可能とすることで、加熱面側から非加熱面側へ中骨を伝わって熱が伝達されることを抑制する。【解決手段】四周状のフレーム３、４、５、６と、四周状のフレーム３、４、５、６に固定された表面材２０、２１、表面材２０、２１に囲まれた空間に充填された耐火芯材７Ａ〜７Ｈ、８Ａ〜８Ｅを備えた遮熱扉であり、四周状のフレーム３、４、５、６の内部には石膏９が充填されており、石膏９と四周状のフレーム３、４、４、６の内面は一体化している。【選択図】図３
2019148054.tif 000002
【特許請求の範囲】
【請求項１】
四周状のフレームと、
前記四周状のフレームに固定された表面材と、
を備え、
前記四周状のフレームの内部には石膏が充填されており、前記石膏と前記四周状のフレームの内面は一体化している、遮熱扉。
【請求項２】
前記遮熱扉は、前記表面材に囲まれた空間に充填された耐火芯材を備え、
前記表面材の見付面において、少なくとも前記四周状のフレームより扉体中央側に位置する面部の全面が前記耐火芯材に当接している、請求項１に記載の遮熱扉。
【請求項３】
前記表面材の前記見付面の全面が前記耐火芯材に当接している、請求項２に記載の遮熱扉。
【請求項４】
前記四周状のフレームの見込寸法は、当該扉体の見込寸法よりも小さく、
前記耐火芯材は、前記四周状のフレームの見付面と前記表面材の前記見付面の間に位置する周囲耐火芯材を含んでいる、
請求項２、３いずれか１項に記載の遮熱扉。
【請求項５】
前記耐火芯材は、扉体中央を含む部位の全厚に亘って設けた第１耐火芯材と、
前記第１耐火芯材の周縁部に隣接する前記周囲耐火芯材である第２耐火芯材と、からなる、
請求項４に記載の遮熱扉。
【請求項６】
前記第１耐火芯材の単位容積質量が前記第２耐火芯材の単位容積質量よりも小さい、請求項５に記載の遮熱扉。
【請求項７】
前記第２耐火芯材の材料の機械的強度が前記第１耐火芯材の材料の機械的強度よりも大きい、請求項６に記載の遮熱扉。
【請求項８】
前記表面材は見込辺を備え、前記見込辺を前記四周状のフレームの見込面に螺子で固定してなり、前記螺子の軸部は前記石膏内に位置している、請求項１〜７いずれか１項に記載の遮熱扉。
【請求項９】
前記表面材の前記見込辺と前記四周状のフレームの前記見込面との間には、熱膨張耐火部材が設けてある、請求項８に記載の遮熱扉。
【発明の詳細な説明】
【技術分野】
【０００１】
本発明は、遮熱扉に関するものである。
【背景技術】
【０００２】
近年、防火戸には防火性能に限らず、避難時に有害となる火災側から非火災側への熱の伝達を防ぐよう遮熱性能が要求される傾向にある。
【０００３】
防火戸は、扉体とドア枠から構成されるが、一般に、扉体の構造は、表面材と力骨及び中骨からなり、表面材に対して四周に力骨を固定し、高さ方向に延びる中骨を幅方向に等間隔で設ける。さらに、遮熱性能を付与する場合には、扉体内部に断熱材（ロックウール等）や耐火材（ケイ酸カルシウム板）を芯材として充填することが考えられるが、表面材、力骨、中骨は金属製（典型的には鋼製）なので、力骨や中骨を介して火災側から非火災側に熱が伝わってしまうおそれがある。特許文献１に記載された防火扉や特許文献２に記載された遮熱扉も中骨を備えており、この中骨を伝わって熱が伝わり易い構造となっている。
【特許文献１】特開２０１６−１６６５０３号
【特許文献２】特許第５３９９９５７号
【発明の開示】
【発明が解決しようとする課題】
【０００４】
本発明は、遮熱扉において中骨を無くすことを可能とすることで、加熱面側から非加熱面側へ中骨を伝わって熱が伝達されることを抑制することを目的とする。
【課題を解決するための手段】
【０００５】
かかる課題を解決するべく本発明が採用した技術手段は、
四周状のフレームと、
前記四周状のフレームに固定された表面材と、
を備え、
前記四周状のフレームの内部には石膏が充填されており、前記石膏と前記四周状のフレームの内面は一体化している、遮熱扉、である。
石膏が充填された四周状のフレームは、従来の中空状の四周状のフレームを備えた扉体に比べて強度が増強されていることから、扉体に強度を与えることができ、従来扉体に強度を与える目的で用いられる中骨を無くすことが可能となる。
【０００６】
１つの態様では、前記遮熱扉は、前記表面材に囲まれた空間に充填された耐火芯材を備え、
前記表面材の見付面において、少なくとも前記四周状のフレームより扉体中央側に位置する面部の全面が前記耐火芯材に当接している。
１つの態様では、前記表面材の前記見付面の全面が前記耐火芯材に当接している。
石膏が充填された四周状のフレームと耐火芯材とが組み合わさって扉体に強度を付与すると共に、石膏の吸熱性、耐火芯材の遮熱性によって、扉体の温度上昇を抑えることができる。
【０００７】
１つの態様では、前記四周状のフレームの見込寸法は、当該扉体の見込寸法よりも小さく、
前記耐火芯材は、前記四周状のフレームの見付面と前記表面材の前記見付面の間に位置する周囲耐火芯材を含んでいる。
表面材と四周状のフレームの見付面との間に設けた周囲耐火芯材によって、加熱面側から非加熱面側へ四周状のフレームを伝わって熱が伝達されることを抑制する。
【０００８】
１つの態様では、前記耐火芯材は、扉体中央を含む部位の全厚に亘って設けた第１耐火芯材と、
前記第１耐火芯材の周縁部に隣接する前記周囲耐火芯材である第２耐火芯材と、からなる。
１つの態様では、前記第１耐火芯材の単位容積質量が前記第２耐火芯材の単位容積質量よりも小さい。
第２耐火芯材に比べて扉体の体積に占める割合が大きい第１耐火芯材の重量を抑えることで、扉体全体の軽量化を図ることができる。
【０００９】
１つの態様では、前記第２耐火芯材の材料の機械的強度が前記第１耐火芯材の材料の機械的強度よりも大きい。
第２耐火芯材を第１耐火芯材の材料の機械的強度よりも大きい機械的強度の材料から形成することで、扉体の製作時における第２耐火芯材（扉体の周縁部に位置することから外力が作用し易い）の破損を防止している。
【００１０】
１つの態様では、前記表面材は見込辺を備え、前記見込辺を前記四周状のフレームの見込面に螺子で固定してなり、前記螺子の軸部は前記石膏内に位置している。
石膏の吸熱性によって螺子を伝わる熱の伝達を抑制することができ、また、モルタル等に比べて石膏は螺子をねじ込むことができるので扉体の施工性も良い。
【００１１】
１つの態様では、前記表面材の前記見込辺と前記四周状のフレームの前記見込面との間には、熱膨張耐火部材が設けてある。
火災時に扉体とドア枠との間の隙間を閉塞することで、火災側から非火災側へ隙間を通して火炎や煙（高温気体）が侵入することを抑制する。
【発明の効果】
【００１２】
本発明が採用した石膏が充填された四周状のフレームは、従来の中空状の四周状のフレームを備えた扉体に比べて強度が増強されていることから、扉体に強度を与えることができ、従来扉体に強度を与える目的で用いられる中骨を無くすことが可能となり、加熱面側から非加熱面側へ中骨を伝わって熱が伝達されることを抑制することができる。
【００１３】
四周状のフレームの内部に充填された石膏は結晶水を含んでおり、火災時の熱によって当該結晶水が蒸発することに伴う吸熱によってフレーム及び周囲の温度上昇を抑制することができる。
【図面の簡単な説明】
【００１４】
【図１】第１実施形態に係るドア装置を室外側から見た正面図である。
【図２】第１実施形態に係るドア装置の縦断面図である。
【図３】（Ａ）は第１実施形態に係るドア装置の横断面図であり、（Ｂ）は第１実施形態に係るドア装置の扉体（当該扉体に内蔵された第１錠の上方）の横断面図である。
【図４】図２の上側部位の部分拡大図である。
【図５】図２の下側部位の部分拡大図である。
【図６】図３（Ａ）の戸先側部位の部分拡大図である。
【図７】図３（Ａ）の戸尻側部の部分拡大図である。
【図８】第１実施形態に係る扉体（表面材を省略）の正面図であり、当該扉体の内部要素を示している。
【図８Ａ】（Ａ）は（Ｃ）のＡ−Ａ´縦断面図、（Ｂ）は（Ｃ）のＢ−Ｂ´縦断面図、（Ｃ）は扉体の戸先側部位の正面図である。
【図９】第１実施形態に係る扉体のフレーム（力骨）を示す図である。
【図１０】第１実施形態に係る扉体の第２耐火芯材を示す図である。
【図１１】第１実施形態に係る扉体の第１耐火芯材の第１部分を示し、（Ａ）は横断面図（戸先側の切り欠き部位の高さ位置）、（Ｂ）は上面図、（Ｃ）は正面図である。
【図１２】第１実施形態に係る扉体の第１耐火芯材の第２部分を示し、（Ａ）は上面図、（Ｂ）は正面図である。
【図１３】第２実施形態に係る扉体の横断面図である。
【図１４】第３実施形態に係る扉体の横断面図である。
【図１５】第４実施形態に係る扉体の横断面図である。
【図１６】第５実施形態に係る扉体の横断面図である。
【発明を実施するための形態】
【００１５】
［Ａ］ドア装置の全体構成
図１は第１実施形態に係るドア装置を室外側から見た正面図であって、ドア装置は、縦長方形状のドア枠１と、ドア枠１によって形成された開口部を開閉する扉体２とからなる。本実施形態では、扉体２は遮熱扉であり、ドア装置は防火扉として用いられる。ドア枠１は、上枠１０、下枠１１、戸先側縦枠１２、戸尻側縦枠１３から縦長方形状に形成されている。ドア枠１の構成については後に詳述する。
【００１６】
図２はドア装置の縦断面図、図３（Ａ）はドア装置の横断面図、図８は扉体２を正面から見た図である。扉体２は、当該扉体２の外面を形成する金属製の第１表面材２０、第２表面材２１と、力骨を形成する上フレーム３、下フレーム４、戸先側縦フレーム５、戸尻側縦フレーム６からなる金属製（典型的には鋼製）の四周状のフレームと、扉体２の内部空間に設けられた芯材と、から構成されている。本実施形態において、以下に詳述するように、扉体２の構成要素である第１表面材２０、第２表面材２１と、力骨を形成する上フレーム３、下フレーム４、戸先側縦フレーム５、戸尻側縦フレーム６、耐火芯材７Ａ〜７Ｈ、耐火芯材８Ａ〜８Ｅは要素同士が適宜当接することで扉体２が構成されているが、扉体２の遮熱性能に影響を与えない程度に近接していても良い場合があることが当業者に理解され、その場合には、「当接」を「近接」に置き換えることができる。
【００１７】
芯材は、四周状のフレームと第１表面材２０、第２表面材２１との間に設けられる耐火芯材７Ａ〜７Ｈと、扉体２の内部空間の中央部位を占める耐火芯材８Ａ〜８Ｅと、から構成されている。扉体２の内部空間において、四周状のフレーム、耐火芯材７Ａ〜７Ｈ、錠前（第１錠２４、第２錠２５、第３錠２６）を除く空間には耐火芯材８Ａ〜８Ｅが設けてあり、いわゆる中骨を備えていない。本明細書では、芯材全体の体積の多くを占める耐火芯材８Ａ〜８Ｅを総称して第１耐火芯材８と呼び、耐火芯材７Ａ〜７Ｈを総称して第２耐火芯材７と呼ぶ。本実施形態では、第１耐火芯材８、第２耐火芯材７は、ケイ酸カルシウム板から形成されているが、第２耐火芯材７のケイ酸カルシウム板の比重は第１耐火芯材８のケイ酸カルシウム板の比重よりも大きく、当該第２耐火芯材７は当該第１耐火芯材８よりも大きい機械的強度を備えている。
【００１８】
第１表面材２０は、薄肉の鋼鈑を折り曲げて形成されており、扉体２の室外側見付面を形成する主面部２００と、主面部２００の周辺部位を折り曲げて形成された上辺２０１、下辺２０２、第１側辺２０３、第２側辺２０４と、からなる。以下の説明では、扉体２の１つの構成要素として当該扉体２を構成する第１表面材２０の主面部２００を第１見付面２００と称する。
【００１９】
第２表面材２１は、薄肉の鋼鈑を折り曲げて形成されており、扉体２の室内側見付面を形成する主面部２１０と、主面部２１０の周辺部位を折り曲げて形成された上辺２１１、下辺２１２、第１側辺２１３、第２側辺２１４と、からなる。以下の説明では、扉体２の１つの構成要素として当該扉体２を構成する第２表面材２１の主面部２１０を第２見付面２１０と称する。
【００２０】
第１表面材２０の上辺２０１と第２表面材２１の上辺２１１から扉体２の上面が形成されており、第１表面材２０の下辺２０２と第２表面材２１の下辺２１２から扉体２の下面が形成されており、第１表面材２０の第１側辺２０３と第２表面材２１の第１側辺２１３から扉体２の戸先側見込面が形成されており、第１表面材２０の第２側辺２０４と第２表面材２１の第２側辺２１４から扉体２の戸尻側見込面が形成されている。
【００２１】
図１に示すように、扉体２は、戸尻側部位に設けた丁番２２によってドア枠１の戸尻側縦枠１３に回動可能に支持されている。扉体２の室外側見付面（第１表面材２０の第１見付面２００）、室内側見付面（第２表面材２１の第２見付面２１０）の戸先側部位にはハンドル２３（室内側見付面のハンドルについては図示せず）が設けてある。扉体２の戸先側部位には、高さ方向の中間に位置して第１錠２４が内蔵されている。さらに、扉体２の戸先側部位の上方部位に位置して第２錠２５、下方部位に位置して第３錠２６が内蔵されている（図１、図８参照）。
【００２２】
第１錠２４は、所定厚さ（見込寸法）及び所定幅（見付寸法）を備え、正面視方形状の錠ケース２４０と、錠ケース２４０に内蔵されたラッチＬ（図８Ａ（Ｃ）参照）、デッドボルト（図示せず）を備えている。ドア枠１の戸先側縦枠１２の第１見込面１２２の所定高さには、第１錠２４のラッチＬ及びデッドボルトのストライクが設けてある。ラッチＬは付勢手段によって扉体２の戸先側見付面から突出してストライクのラッチ受孔に係止して扉体２の閉鎖姿勢を維持し、ハンドル２３の回動操作に連動して突出したラッチＬを扉体２の戸先側見付面内に退避させて係止状態を解錠することで扉体２を開放させる。デッドボルトは、扉体２の室内側見付面に設けた操作つまみ（図示せず）の回動、室外側見付面に設けた鍵孔２４１に挿入した鍵の回動によって、ストライクのデッドボルト受孔に対して係止姿勢と解除姿勢をとるようになっている。
【００２３】
第２錠２５は、所定厚さ（見込寸法）及び所定幅（見付寸法）を備え、正面視方形状の錠ケース２５０と、錠ケース２５０に内蔵されたラッチＬ（図８Ａ（Ｃ）参照）を備えており、デッドボルトは備えていない。第３錠２６は、所定厚さ（見込寸法）及び所定幅（見付寸法）を備え、正面視方形状の錠ケース２６０と、錠ケース２６０に内蔵されたラッチＬ（図８Ａ（Ｃ）参照）を備えており、デッドボルトは備えていない。本実施形態では、第１錠２４の錠ケース２４０、第２錠２５の錠ケース２５０、第３錠２６の錠ケース２６０は、同じ厚さ（見込寸法）及び幅（見付寸法）を備えている。ドア枠１の戸先側縦枠１２の第１見込面１２２の上方部位には第２錠２５のラッチＬのストライクが設けてあり、下方部位には第３錠２６のラッチＬのストライクが設けてある。第２錠２５及び第３錠２６のラッチＬは付勢手段によって扉体２の戸先側見付面から突出してストライクのラッチ受孔に係止して扉体２の閉鎖姿勢を維持している。本実施形態では、開口部全閉姿勢時に扉体２が高さ方向の３箇所においてラッチでドア枠１の戸先側縦枠１２に係止することによって、火災時の熱による扉体２の反りを可及的に防止し、扉体２とドア枠１との間に防火ないし防煙及び遮熱において不利な隙間が形成されることを防止する。
【００２４】
ハンドル２３の回動と第１錠２４のラッチＬ、第２錠２５のラッチＬ、第３錠２６のラッチＬの動作は連動しており、扉体２の閉鎖状態において、水平姿勢にあるハンドル２３を下方に回動させることで、ラッチ受孔に対して係止姿勢（突出姿勢）にある第１錠２４のラッチＬ、第２錠２５のラッチＬ、第３錠２６のラッチＬが扉体２の戸先側見付面内に退避する方向に移動して解除姿勢（退避姿勢）となり、したがって、扉体２の閉鎖姿勢時において、ハンドル２３の回動操作に連動して突出姿勢にある３本のラッチＬを扉体２の戸先側見付面内に同時に退避させて係止状態を解錠することで扉体２を開放させる。
【００２５】
より具体的には、第１錠２４と第２錠２５の間、第１錠２４と第３錠２６の間は扉体２内を垂直姿勢で延びるロッド２７によって連動連結されており、ロッド２７の下動あるいは上動に連動して、係止姿勢にあるラッチＬが解除姿勢となる。第１錠２４と第２錠２５を連結するロッド２７と、第１錠２４と第３錠２６を連結するロッド２７は別部材であっても、同一部材であってもよい。このようないわゆる３点ラッチ錠は、例えば、特開２０１３−７２１７９号、特開２０１３−２４９６４４号に開示されており、ロッドとラッチＬの具体的な連動構成例についてはこれらの文献の記載を参照することができる。本実施形態では、デッドボルト及びラッチＬを備えた第１錠２４、ラッチＬのみを備えた第２錠２５、第３錠２６の合計３つの錠を用いているが、４つ以上の錠を採用してもよい。
【００２６】
［Ｂ］扉体の四周状のフレーム
扉体２の上フレーム３、下フレーム４、戸先側縦フレーム５、戸尻側縦フレーム６は、扉体２の力骨を構成し、本実施形態では、各フレーム３〜６の内部に石膏９が充填されている。各フレーム３〜６の断面形状及び断面寸法は同一であり、フレーム単体を示す図９を、各フレーム３〜６に共通して適用する。以下、各フレーム３〜６の構成について詳細に説明する。
【００２７】
［Ｂ−１］上フレーム
扉体２の上フレーム３は、第１見付面部３０と、第２見付面部３１と、上面部３２とから断面視コ字状に形成されている。第１見付面部３０と、第２見付面部３１と、上面部３２とから形成された凹部内には充填材としての石膏９が充填されている。第１見付面部３０の下端と、第２見付面部３１の下端と、石膏９から上フレーム３の下面３３が形成されている。第１見付面部３０と、第２見付面部３１と、上面部３２の長さ方向の戸先側端面と石膏９から上フレーム３の戸先側見込面３４が形成され、第１見付面部３０と、第２見付面部３１と、上面部３２の長さ方向の戸尻側端面と石膏９から上フレーム３の戸尻側見込面３５が形成されている。石膏９は、流動状態のものを上フレーム３の凹状の内部に充填して固化することで得られており、固化された石膏９と第１見付面部３０の内面、第２見付面部３１の内面、上面部３２の内面は付着されており、石膏９を充填することで上フレーム３の強度が増強されている。上フレーム３の内部に充填された石膏９は結晶水を含んでおり、火災時の熱によって当該結晶水が蒸発することに伴う吸熱によって上フレーム３及び周囲の温度上昇を抑制する。
【００２８】
［Ｂ−２］下フレーム
扉体２の下フレーム４は、第１見付面部４０と、第２見付面部４１と、下面部４２とから断面視コ字状に形成されている。第１見付面部４０と、第２見付面部４１と、下面部４２とから形成された凹部内には充填材としての石膏９が充填されている。第１見付面部４０の上端と、第２見付面部４１の上端と、石膏９から下フレーム４の上面４３が形成されている。第１見付面部４０と、第２見付面部４１と、下面部４２の長さ方向の戸先側端面と石膏９から下フレーム４の戸先側見込面４４が形成され、第１見付面部４０と、第２見付面部４１と、下面部４２の長さ方向の戸尻側端面と石膏９から下フレーム４の戸尻側見込面４５が形成されている。石膏９は、流動状態のものを下フレーム４の凹状の内部に充填して固化することで得られており、固化された石膏９と第１見付面部４０の内面、第２見付面部４１の内面、下面部４２の内面は付着されており、石膏９を充填することで下フレーム４の強度が増強されている。下フレーム４の内部に充填された石膏９は結晶水を含んでおり、火災時の熱によって当該結晶水が蒸発することに伴う吸熱によって下フレーム４及び周囲の温度上昇を抑制する。
【００２９】
［Ｂ−３］戸先側縦フレーム
扉体２の戸先側縦フレーム５は、第１見付面部５０と、第２見付面部５１と、見込面部５２とから断面視コ字状に形成されている。第１見付面部５０と、第２見付面部５１と、見込面部５２とから形成された凹部内には充填材としての石膏９が充填されている。第１見付面部５０の戸尻側端と、第２見付面部５１の戸尻側端と、石膏９から戸先側縦フレーム５の戸尻側見込面５３が形成されている。第１見付面部５０と、第２見付面部５１と、見込面部５２の高さ方向の上端と石膏９から戸先側縦フレーム５の上端面５４が形成され、第１見付面部５０と、第２見付面部５１と、見込面部５２の高さ方向の下端と石膏９から戸先側縦フレーム５の下端面５５が形成されている。石膏９は、流動状態のものを戸先側縦フレーム５の凹状の内部に充填して固化することで得られており、固化された石膏９と第１見付面部５０の内面、第２見付面部５１の内面、見込面部５２の内面は付着されており、石膏９を充填することで戸先側縦フレーム５の強度が増強されている。戸先側縦フレーム５の内部に充填された石膏９は結晶水を含んでおり、火災時の熱によって当該結晶水が蒸発することに伴う吸熱によって戸先側縦フレーム５及び周囲の温度上昇を抑制する。戸先側縦フレーム５の見込面部５２の高さ方向の所定部位は、錠前（第１錠２４、第２錠２５、第３錠２６）を受け入れるために切り欠かれており、錠前に対応する内部空間には石膏は充填されていない。
【００３０】
［Ｂ−４］戸尻側縦フレーム
扉体２の戸尻側縦フレーム６は、第１見付面部６０と、第２見付面部６１と、見込面部６２とから断面視コ字状に形成されている。第１見付面部６０と、第２見付面部６１と、見込面部６２とから形成された凹部内には充填材としての石膏９が充填されている。第１見付面部６０の戸先側端と、第２見付面部６１の戸先側端と、石膏９から戸尻側縦フレーム６の戸先側見込面６３が形成されている。第１見付面部６０と、第２見付面部６１と、見込面部６２の高さ方向の上端と石膏９から戸尻側縦フレーム６の上端面６４が形成され、第１見付面部６０と、第２見付面部６１と、見込面部６２の高さ方向の下端と石膏９から戸尻側縦フレーム６の下端面６５が形成されている。石膏９は、流動状態のものを戸尻側縦フレーム６の凹状の内部に充填して固化することで得られており、固化された石膏９と第１見付面部６０の内面、第２見付面部６１の内面、見込面部６２の内面は付着されており、石膏９を充填することで戸尻側縦フレーム６の強度が増強されている。戸尻側縦フレーム６の内部に充填された石膏９は結晶水を含んでおり、火災時の熱によって当該結晶水が蒸発することに伴う吸熱によって戸尻側縦フレーム６及び周囲の温度上昇を抑制する。
【００３１】
［Ｂ−５］四周状のフレームの全体構成
図１に示すように、上フレーム３の下面３３の戸先側部位には、戸先側縦フレーム５の上端面５４が当接し、上フレーム３の下面３３の戸尻側部位には、戸尻側縦フレーム６の上端面６４が当接し、下フレーム４の上面４３の戸先側部位には、戸先側縦フレーム５の下端面５５が当接し、下フレーム４の上面４３の戸尻側部位には、戸尻側縦フレーム６の下端面６５が当接することで、上フレーム３、下フレーム４、戸先側縦フレーム５、戸尻側縦フレーム６から四周状のフレームが形成されている。四周状のフレームにおいて、上フレーム３、下フレーム４、戸先側縦フレーム５、戸尻側縦フレーム６の凹部は扉体２の内側に向いており、凹部内には当該凹部内で固化された石膏９が充填されており、当該凹部の内面と石膏９は強固に付着ないし固着されており、四周状のフレームの凹部の内面と石膏９が一体化している。フレームの凹部の内面と石膏９が一体化されることで、フレームの凹部内に石膏ボード等を差し込んだものに比べて、フレーム（いわゆる力骨）自体の機械的強度が上昇する。このように、本実施形態では、四周状のフレームの内部に石膏を充填したことで、フレーム（いわゆる力骨）の強度が向上し、結果として、石膏９を充填した四周状のフレームと第１耐火芯材８の組み合わせで所定の扉強度を得ることができ、従来の扉体において表面材間に配置している中骨を省略することができる。また、火災時の加熱によって、石膏９から結晶水が蒸発することに伴う吸熱効果によって、四周状のフレーム及び当該フレームの周辺の温度上昇を抑えることができる。また、石膏９を充填して四周状のフレームの強度を増大させることによって、扉体２の見込寸法に対して、当該フレームの見込寸法を小さく設計することができ、次に述べるように、所定の厚み（遮熱効果及び扉体端部の補強を発揮できる程度の厚み）を備えた第２耐火芯材７を第１表面材２０、第２表面材２１と四周状のフレームとの間に設けることを可能とし、当該フレームの見込寸法をより小さく設計することで、第２耐火芯材７の見込寸法を大きくすることができる。
【００３２】
［Ｃ］耐火芯材
［Ｃ−１］第２耐火芯材
本実施形態では、力骨を形成する四周状のフレームの見込寸法、すなわち、上フレーム３、下フレーム４、戸先側縦フレーム５、戸尻側縦フレーム６の見込寸法は、扉体２の見込寸法（厚さ）よりも小さい寸法となっており、第１表面材２０と四周状のフレームの間、第２表面材２１と四周状のフレームの間には、第２耐火芯材７が設けてある。金属製の第１表面材２０、第２表面材２１と金属製の四周状のフレームとの間に第２耐火芯材７を挟むことで、扉体２の一方の見付面から他方の見付面への熱伝達を抑制している。本実施形態に係る第２耐火芯材７について、以下に詳細に説明する。
【００３３】
［Ｃ−１］第２耐火芯材
第２耐火芯材７は、扉体２の第１表面材２０、第２表面材２１と、四周状のフレームとの間に位置して設けられる。本実施形態では、第２耐火芯材７は、第１表面材２０と上フレーム３との間に設けられる耐火芯材７Ａ、第２表面材２１と上フレーム３との間に設けられる耐火芯材７Ｂ、第１表面材２０と下フレーム４との間に設けられる耐火芯材７Ｃ、第２表面材２１と下フレーム４との間に設けられる耐火芯材７Ｄ、第１表面材２０と戸先側縦フレーム５との間に設けられる耐火芯材７Ｅ、第２表面材２１と戸先側縦フレーム５との間に設けられる耐火芯材７Ｆ、第１表面材２０と戸尻側縦フレーム６との間に設けられる耐火芯材７Ｇ、第２表面材２１と戸尻側縦フレーム６との間に設けられる耐火芯材７Ｈを含んでいる。図２〜７に示すように、四周状のフレーム（上フレーム３、下フレーム４、戸先側縦フレーム５、戸尻側縦フレーム６）と第２耐火芯材７Ａ〜７Ｈから断面視凹状部が形成されており、当該凹状部に第１耐火芯材８の断面視凸状の周縁部が当接するようになっている。したがって、第２耐火芯材７と第１耐火芯材８との継ぎ目はいわゆるあいじゃくり状となっており、扉体２の厚さ方向に平面視直線状に延びることが無いので、遮熱性能において有利である。
【００３４】
本実施形態では、耐火芯材７Ａ、７Ｂ、７Ｃ、７Ｄは同一形状・同一寸法を備え、耐火芯材７Ｅ、７Ｆは同一形状・同一寸法を備え、耐火芯材７Ｇ、７Ｈは同一形状・同一寸法を備えている。耐火芯材７Ａ、７Ｂ、７Ｃ、７Ｄと耐火芯材７Ｇ、７Ｈは長さ寸法を除いて、同一断面形状・寸法を備えている。また、耐火芯材７Ｅ、７Ｆの基本的な形状・寸法は、見付寸法を除いて耐火芯材７Ｇ、７Ｈと同じである。よって、図１０に示す第２耐火芯材７の各部位の名称及び参照番号を耐火芯材７Ａ〜７Ｈに共通して適用する。
【００３５】
図１０に示すように、耐火芯材７Ａ〜７Ｇは、第１見付面７０及び第２見付面７１と、周囲の４つの端面、すなわち、第１端面７２、第２端面７３、第３端面７４、第４端面７５と、からなる長尺状の板状体である。第１端面７２及び第２端面７３が第２耐火芯材７の長手方向の両端に位置しており、第３端面７４及び第４端面７５が第２耐火芯材７の短手方向の両端に位置している。
【００３６】
耐火芯材７Ａ、７Ｂにおいては、第１端面７２は戸先側見込面、第２端面７３は戸尻側見込面、第３端面７４は上面、第４端面７５は下面であり、耐火芯材７Ｃ、７Ｄにおいては、第１端面７２は戸先側見込面、第２端面７３は戸尻側見込面、第３端面７４は下面、第４端面７５は上面であり、耐火芯材７Ｅ、７Ｆにおいては、第１端面７２は上面、第２端面７３は下面、第３端面７４は戸先側見込面、第４端面７５は戸尻側見込面であり、耐火芯材７Ｇ、７Ｈにおいては、第１端面７２は上面、第２端面７３は下面、第３端面７４は戸尻側見込面、第４端面７５は戸先側見込面である。
【００３７】
第２耐火芯材７は、第１見付面７０、第２見付面７１、第３端面７４、第４端面７５から長方形の断面形状を備えている。耐火芯材７Ａ〜７Ｄ、７Ｇ、７Ｈは、同一・同寸の断面視長方形（第１見付面７０、第２見付面７１、第３端面７４、第４端面７５）を備えている。耐火芯材７Ｅ、７Ｆは、耐火芯材７Ａ〜７Ｄ、７Ｇ、７Ｈと同様に断面視長方形状を備えているが、耐火芯材７Ｅ、７Ｆの第１見付面７０、第２見付面７１の見付寸法は、耐火芯材７Ａ〜７Ｄの第１見付面７０、第２見付面７１の見付寸法よりも大きい。
【００３８】
図８に示すように、第１表面材２０と四周状のフレームとの間に設けられる耐火芯材７Ａ、耐火芯材７Ｃ、耐火芯材７Ｅ、耐火芯材７Ｇにおいて、耐火芯材７Ａの下面７５の幅方向戸先側部位には耐火芯材７Ｅの上面７２が当接しており、耐火芯材７Ａの下面７５の幅方向戸尻側部位には耐火芯材７Ｇの上面７２が当接しており、耐火芯材７Ｃの上面７５の幅方向戸先側部位には耐火芯材７Ｅの下面７３が当接しており、耐火芯材７Ｃの上面７５の幅方向戸尻側部位には耐火芯材７Ｇの下面７３が当接しており、耐火芯材７Ａ、耐火芯材７Ｃ、耐火芯材７Ｅ、耐火芯材７Ｇが連続四周状に設けられる。すなわち、第１表面材２０と四周状のフレーム（上フレーム３、下フレーム４、戸先側縦フレーム５、戸尻側縦フレーム６）の間に位置して、四周状の第２耐火芯材７（耐火芯材７Ａ、耐火芯材７Ｃ、耐火芯材７Ｅ、耐火芯材７Ｇ）が設けられている。
【００３９】
同様に、第２表面材２１と四周状のフレームとの間に設けられる耐火芯材７Ｂ、耐火芯材７Ｄ、耐火芯材７Ｆ、耐火芯材７Ｈにおいて、耐火芯材７Ｂの下面７５の幅方向戸先側部位には耐火芯材７Ｆの上面７２が当接しており、耐火芯材７Ｂの下面７５の幅方向戸尻側部位には耐火芯材７Ｈの上面７２が当接しており、耐火芯材７Ｄの上面７５の幅方向戸先側部位には耐火芯材７Ｆの下面７３が当接しており、耐火芯材７Ｄの上面７５の幅方向戸尻側部位には耐火芯材７Ｈの下面７３が当接しており、耐火芯材７Ｂ、耐火芯材７Ｄ、耐火芯材７Ｆ、耐火芯材７Ｈが連続四周状に設けられる。すなわち、第２表面材２１と四周状のフレーム（上フレーム３、下フレーム４、戸先側縦フレーム５、戸尻側縦フレーム６）の間に位置して、四周状の第２耐火芯材７（耐火芯材７Ｂ、耐火芯材７Ｄ、耐火芯材７Ｆ、耐火芯材７Ｈ）が設けられている。
【００４０】
［Ｃ−２］第１耐火芯材
第１耐火芯材８は、扉体２の第１表面材２０及び第２表面材２１によって囲まれる内部空間において、四周状のフレーム（上フレーム３、下フレーム４、戸先側縦フレーム５、戸尻側縦フレーム６）、第２耐火芯材７（耐火芯材７Ａ〜７Ｈ）、錠前（第１錠２４、第２錠２５、第３錠２６）を除く空間を占めるように設けてあり、扉体２は中骨を備えていない。
【００４１】
本実施形態では、第１耐火芯材８は複数の部分に分割されている。図８に示すように、第１耐火芯材８は、５つの部分である耐火芯材８Ａ〜Ｅからなる。
【００４２】
耐火芯材８Ａ（第１部分）は、扉体２の戸先側部位（錠前に対応する見付幅）を除く内部空間において、第１表面材２０、第２表面材２１、上フレーム３、下フレーム４、戸尻側縦フレーム６、耐火芯材７Ａ、７Ｂ、７Ｃ、７Ｄ、７Ｅ、７Ｆ、７Ｇ、７Ｈに囲まれた空間に設けられる。
【００４３】
耐火芯材８Ｂ（第２部分）は、扉体２の戸先側部位（錠前に対応する見付幅）の内部空間において、上フレーム３、戸先側縦フレーム５、耐火芯材７Ｅ、７Ｆ、第２錠２５の上面に囲まれた空間に設けられる。
【００４４】
耐火芯材８Ｃ（第３部分）は、扉体２の戸先側部位（錠前に対応する見付幅）の内部空間において、戸先側縦フレーム５、耐火芯材７Ｅ、７Ｆ、第２錠２５の下面、第１錠２４の上面に囲まれた空間に設けられる。
【００４５】
耐火芯材８Ｄ（第４部分）は、扉体２の戸先側部位（錠前に対応する見付幅）の内部空間において、戸先側縦フレーム５、耐火芯材７Ｅ、７Ｆ、第１錠２４の下面、第３錠２６の上面に囲まれた空間に設けられる。
【００４６】
耐火芯材８Ｅ（第５部分）は、扉体２の戸先側部位（錠前に対応する見付幅）の内部空間において、下フレーム４、戸先側縦フレーム５、耐火芯材７Ｅ、７Ｆ、第３錠２６の下面に囲まれた空間に設けられる。
【００４７】
耐火芯材８Ａ（第１部分）の戸先側部位と、耐火芯材８Ｂ〜８Ｅ（第２部分〜第５部分）の戸尻側部位は当接しており、一体で第１耐火芯材８を構成している。
【００４８】
耐火芯材８Ａは、扉体２の戸先側部位（錠前に対応する見付幅）を除く内部空間において、幅方向及び高さ方向に亘って一体で延びている。耐火芯材８Ａは、第１見付面８０及び第２見付面８１と、周囲の四周状の周縁部とを備えており、周縁部は段差状で肉厚が薄くなっており、断面視凸状部となっている。また、耐火芯材８Ａの戸先側の周縁部に耐火芯材８Ｂ〜８Ｅが当接することで、第１耐火芯材８の戸先側の周縁部が形成されている。
【００４９】
耐火芯材８Ａの上側の周縁部は、上面８２と、第１上側見付面８００と、第２上側見付面８１０とからなり、第１見付面８０の上端と第１上側見付面８００の下端は第１上側水平面８０４によって接続されており、第２見付面８１の上端と第２上側見付面８１０の下端は第２上側水平面８１４によって接続されている。第１上側水平面８０４、第２上側水平面８１４、第１上側見付面８００、第２上側見付面８１０、上面８２から上向きの断面視凸部が形成されている。
【００５０】
耐火芯材８Ａの下側の周縁部は、下面８３と、第１下側見付面８０１と、第２下側見付面８１１とからなり、第１見付面８０の下端と第１下側見付面８０１の上端は第１下側水平面８０５によって接続されており、第２見付面８１の下端と第２下側見付面８１１の上端は第２下側水平面８１５によって接続されている。第１下側水平面８０５、第２下側水平面８１５、第１下側見付面８０１、第２下側見付面８１１、下面８３から下向きの断面視凸部が形成されている。
【００５１】
耐火芯材８Ａの戸先側の周縁部は、戸先側見込面８４と、第１戸先側見付面８０２と、第２戸先側見付面８１２とからなり、第１見付面８０の戸先側端と第１戸先側見付面８０２の戸尻側端は第１戸先側垂直面８０６によって接続されており、第２見付面８１の戸先側端と第２戸先側見付面８１２の戸尻側端は第２戸先側垂直面８１６によって接続されている。第１戸先側垂直面８０６、第２戸先側垂直面８１６、第１戸先側見付面８０２、第２戸先側見付面８１２、戸先側見込面８４から戸先側に向く断面視凸部が形成されている。
【００５２】
耐火芯材８Ａの戸尻側の周縁部は、戸尻側見込面８５と、第１戸尻側見付面８０３と、第２戸尻側見付面８１３とからなり、第１見付面８０の戸尻側端と第１戸尻側見付面８０３の戸先側端は第１戸尻側垂直面８０７によって接続されており、第２見付面８１の戸尻側端と第２戸尻側見付面８１３の戸先側端は第２戸尻側垂直面８１７によって接続されている。第１戸尻側垂直面８０７、第２戸尻側垂直面８１７、第１戸尻側見付面８０３、第２戸尻側見付面８１３、戸尻側見込面８５から戸尻側に向く断面視凸部が形成されている。
【００５３】
耐火芯材８Ａの戸先側見込面８４は、第１戸先側見付面８０２側の第１面８４０と、第２戸先側見付面８１２側の第２面８４１と、第１面８４０と第２面８４１とを接続する第３面８４２と、からなる。図示の態様では、第１面８４０の見込寸法は、第２面８４１の見込寸法よりも小さく、第１戸先側見付面８０２の見付寸法は、第２戸先側見付面８１２の見付寸法よりも大きく、また、第１戸先側見付面８０２及び第２戸先側見付面８１２の見付寸法は、第１戸尻側見付面８０３及び第２戸尻側見付面８１３の見付寸法よりも大きい。
【００５４】
耐火芯材８Ａの戸先側の周縁部には、高さ方向に間隔を存して３つの凹部８６が形成されている。各凹部８６は、扉体２の戸先側部位に内蔵された第１錠２４、第２錠２５、第３錠２６に対応する高さに形成されており、各凹部８６内に第１錠２４、第２錠２５、第３錠２６の錠ケース２４０、２５０、２６０の後側部位（戸尻側部位）が納まるようになっている。耐火芯材８Ａの戸先側の周縁部の凹部８６の底は中間見込面８４３となっており、中間見込面８４３には、第１錠２４、第２錠２５、第３錠２６の錠ケース２４０、２５０、２６０の戸尻側端面２４００、２５００、２６００が当接（図３（Ｂ）参照）ないし近接している。
【００５５】
耐火芯材８Ａの戸先側に隣接して、耐火芯材８Ｂ、耐火芯材８Ｃ、耐火芯材８Ｄ、耐火芯材８Ｅが設けてある。耐火芯材８Ｂ〜８Ｅ（第２部分〜第５部分）は、高さ寸法を除いて、同一の断面寸法及び断面形状を有している。よって、図１２に示す耐火芯材８Ｂ（第２部分）の各部位の名称及び参照番号を耐火芯材８Ｂ〜８Ｅに共通して適用する。
【００５６】
耐火芯材８Ｂ〜８Ｅは、第１見付面８０´と、第２見付面８１´と、上面８２´と、下面８３´と、戸先側見込面８７と、戸尻側見込面８８とを備えている。戸尻側見込面８８は、第１見付面８０´側の第１面８８０と、第２見付面８１´側の第２面８８１と、第１面８８０と第２面８８１とを接続する第３面８８２と、からなる。図示の態様では、第１面８８０の見込寸法は、第２面８８１の見込寸法よりも大きく、第１見付面８０´の見付寸法は、第２見付面８１´の見付寸法よりも小さい。
【００５７】
耐火芯材８Ａの戸先側見込面８４と、耐火芯材８Ｂ、耐火芯材８Ｃ、耐火芯材８Ｄ、耐火芯材８Ｅの戸尻側見込面８８は当接しており、耐火芯材８Ａ〜耐火芯材８Ｅが一体で第１耐火芯材８を形成している。耐火芯材８Ａの戸先側見込面８４と耐火芯材８Ｂ〜８Ｅの戸尻側見込面８８との当接において、耐火芯材８Ａの第１面８４０と、耐火芯材８Ｂ〜８Ｅの第１面８８０が当接しており、耐火芯材８Ａの第２面８４１と、耐火芯材８Ｂ〜８Ｅの第２面８８１が当接している。耐火芯材８Ａの第３面８４２と耐火芯材８Ｂ〜８Ｅの第３面８８２の見付寸法は同じである。したがって、耐火芯材８Ａと耐火芯材８Ｂ〜８Ｅとの継ぎ目はいわゆるあいじゃくり状となっており、扉体２の厚さ方向に平面視直線状に延びることが無いので、遮熱性能において有利である。
【００５８】
耐火芯材８Ａの戸先側見込面８４と耐火芯材８Ｂ、耐火芯材８Ｃ、耐火芯材８Ｄ、耐火芯材８Ｅの戸尻側見込面８８との当接部には、平面視方形状で扉体２の高さ方向に垂直に延びる空間Ｓが形成されており、空間Ｓにロッド２７が上下動可能に収納されている。すなわち、耐火芯材は、空間Ｓに位置して当該空間Ｓの高さ方向に沿って分割された第１要素（耐火芯材８Ａ）と第２要素（耐火芯材８Ｃ、８Ｄ）とからなり、第１要素（耐火芯材８Ａ）は、第１当接面（第１面８４０、第２面８４１の部分）と高さ方向に延びる第１部位（第２面８４１の部分と第３面８４２）を備え、第２要素（耐火芯材８Ｃ、８Ｄ）は、第２当接面（第１面８８０の部分、第２面８８１）と高さ方向に延びる第２部位（第１面８８０の部分、第３面８８２）を備え、空間Ｓは、第１要素の第１当接面（第１面８４０、第２面８４１の部分）と第２要素の第２当接面（第１面８８０の部分、第２面８８１）が当接した状態において、第１部位（第２面８４１の部分と第３面８４２）と第２部位（第１面８８０の部分、第３面８８２）とから形成される。耐火芯材７Ｅ、７Ｆは、錠前（第１錠２４、第２錠２５、第３錠２６）の見付寸法よりも大きい見付寸法を備えており、耐火芯材７Ｅ、７Ｆの戸尻側部位は、空間Ｓ（耐火芯材８Ａの戸先側見込面８４と耐火芯材８Ｂ〜８Ｅの戸尻側見込面８８との当接面ないし継ぎ目）を越えて戸尻側に延びている。なお、ロッド２７が上側の耐火芯材８Ｂ、下側の耐火芯材８Ｅの高さまで延びていない場合には、耐火芯材８Ａの戸先側見込面８４と耐火芯材８Ｂの戸尻側見込面８８との当接部、耐火芯材８Ａの戸先側見込面８４と耐火芯材８Ｅの戸尻側見込面８８との当接部に必ずしも空間を設けなくてもよい。
【００５９】
第１耐火芯材８において、耐火芯材８Ａの上面８２と耐火芯材８Ｂの上面８２´は同じ高さに位置しており、上面８２と上面８２´から連続状の上面が形成され、上面８２、上面８２´は、上フレーム３の下面３３に当接する。耐火芯材８Ａの下面８３と耐火芯材８Ｅの下面８３´は同じ高さに位置しており、下面８３と下面８３´から連続状の下面が形成され、下面８３、８３´は、下フレーム４の上面４３に当接する。耐火芯材８Ａと耐火芯材８Ｂ、８Ｅが一体形成されていてもよい。
【００６０】
第１耐火芯材８において、耐火芯材８Ｂの下面８３´と耐火芯材８Ｃの上面８２´の間には第２錠２５が位置し、耐火芯材８Ｃの下面８３´と耐火芯材８Ｄの上面８２´の間には第１錠２４が位置し、耐火芯材８Ｄの下面８３´と耐火芯材８Ｅの上面８２´の間には第３錠２６が位置している。
【００６１】
［Ｃ−３］第１耐火芯材と第２耐火芯材の組み合わせ
本実施形態では、第１耐火芯材８、第２耐火芯材７は、ケイ酸カルシウム板から形成されているが、第２耐火芯材７のケイ酸カルシウム板の比重（密度）は第１耐火芯材８のケイ酸カルシウム板の比重（密度）よりも大きく、当該第２耐火芯材７は当該第１耐火芯材８よりも大きい機械的強度を備えている。このように比重の異なるケイ酸カルシウム板を採用することで、扉体２の端部に位置する第２耐火芯材７の強度を維持しつつ、扉体２の内部空間で大きな割合を占める第１耐火芯材８の重量を抑え、結果として、扉体２の重量の軽量化を図ることができる。第２耐火芯材７は扉体２の周縁部に位置することから、扉体２の製造時に外力が作用し易い。第２耐火芯材７は第１耐火芯材８に比べて薄肉の板体であるが、第２耐火芯材７を第１耐火芯材８の材料の機械的強度よりも大きい機械的強度の材料から形成することで、扉体２の製作時における第２耐火芯材７の破損を防止している。扉体２の高さ方向及び幅方向の扉中央部を占める第１耐火芯材８（耐火芯材８Ａ）は一体で継ぎ目が無いので、扉体２に所定の面強度を与えると共に、中骨や継ぎ目を経由する熱伝達を防止することができ、扉体２の非加熱面の温度上昇を抑えることができる。第１耐火芯材８と第２耐火芯材７は同一の材料である必要は無く、例えば、第２耐火芯材７の機械的強度が第１耐火芯材８の機械的強度よりも大きく、第１耐火芯材８の単位容積質量が第２耐火芯材７の単位容積質量よりも小さいような材料（所定の遮熱性を備えている）の組み合わせから選択することができる。ここで、本明細書において、機械的強度とは、対象となる材料において、圧縮や引張の物理的な外力に対して持つ耐久力を表す指標であり、いわば、材料が、変形や破壊に耐えられる強度である。機械的強度としては、引張強度、圧縮強度、曲げ強度等が知られており、これらの強度は所定の標準的な計測方法で計測できることが当業者に理解される。
【００６２】
［Ｃ−４］耐火芯材の材料
本実施形態では、第１耐火芯材８、第２耐火芯材７はケイ酸カルシウム板から形成されているが、第１耐火芯材８、第２耐火芯材７の材料は限定されず、遮熱性を備えた他の不燃材料を採用してもよい。遮熱性の扉体２の内部空間に設ける第１耐火芯材８、第２耐火芯材７として、密度・機械的強度の異なる２種類の不燃性の耐火材料を使用することで、面外変形に耐える強度と火災時の遮熱性を兼ね備えた扉体２を提供することができる。第１耐火芯材８として、不燃材料としてJIS A 5416に規定される軽量気泡コンクリートパネル（ＡＣＬパネル）、JIS A 6901に規定される石膏ボード、JIS A 5430に規定される繊維強化セメント板、JIS A 9510に規定される無機多孔質保温材、JIS A 9504に規定される人造鉱物繊維保温材、JIS R 3311に規定されるセラミックファイバーブランケット又はこの代替となるAES（アルカリアースシリケートウール）、及びフェノール樹脂系の不燃断熱材（フェノバボードフネン：積水化学工業製、ネオマフォームF・FS：旭化成建材製）等を例示することができる。第２耐火芯材７として、不燃材料としてJIS A 6901に規定される石膏ボード、JIS A 5430に規定される繊維強化セメント板等を例示することができる。
【００６３】
［Ｄ］ドア枠
一般に従来のドア枠は鋼製であり、一方の見付側から他方の見付側に見込方向に連続する部材であるため、火災側で受けた熱がドア枠を伝ってそのまま非火災側へ伝達されることになる。したがって、遮熱性能を備えた扉体を採用した場合であっても、ドア枠を介して火災側から非火災側に熱が伝わってしまうおそれがあった。本実施形態では、ドア枠内に石膏を流し込んで固化させることで、ドア枠の内面と石膏９は強固に付着ないし固着されて一体化されており、ドア枠内に充填された石膏９の遮熱性、吸熱性によって、ドア枠の温度上昇を抑制することで、防火戸のドア枠を介しての火災側から非火災側への熱伝導を可及的に防止している。本実施形態に係るドア枠において、室外側の受熱面は、ドア枠の室外側に面する面、具体的には、上枠１０の第１見付面１００、戸先側縦枠１２の第１見付面１２０、戸尻側縦枠１３の第１見付面１３０からなり、室内側の受熱面は、ドア枠の室内側に面する面、具体的には、上枠１０の第２見付面１０１から第２下面１０３に至る連続面、戸先側縦枠１２の第２見付面１２１から第２見込面１２３に至る連続面、戸尻側縦枠１３の第２見付面１３１から第２見込面１３３に至る連続面からなる。本実施形態では、ドア枠の見付面の幅寸法（第１見付面１００、第２見付面１０１の高さ寸法、第１見付面１２０、第２見付面１２１の幅寸法、第１見付面１３０、第２見付面１３１の幅寸法）を従来に比べて大きくすることで、受熱面積に対する石膏９の体積の割合を大きくして遮熱性能、吸熱性能を向上させ、ドア枠の温度上昇を更に抑えることを可能とした。さらに、石膏９を充填したドア枠を採用することで、ドア枠に隣接する扉体２の端部の温度上昇を抑制することもできる。
【００６４】
［Ｄ−１］上枠
上枠１０は開口幅方向に延びる部材であり、図４に示すように、第１見付面１００と、第２見付面１０１と、第１見付面１００側の第１下面１０２と、第１下面１０２よりも低い位置で延びる第２見付面１０１側の第２下面１０３とを有している。第１下面１０２の第２見付面１０１側の部分と第２下面１０３の第１見付面１００側の部分との間には中間見付面１０４が形成されており、中間見付面１０４には幅方向に亘って熱膨張耐火部材１４が設けてある。図示の態様では、第１下面１０２の第２見付面１０１側の部分と第２下面１０３の第１見付面１００側の部分との間には凹部が形成されており、当該凹部内に設けた断面視コ字状の支持部材が中間見付面１０４を形成している。上枠１０内には石膏９が充填されている。上枠１０の内部に充填された石膏９は結晶水を含んでおり、火災時の熱によって当該結晶水が蒸発することに伴う吸熱によって上枠１０及び周囲の温度上昇を抑制する。また、第１見付面１００の上端の第１上側面１０００と第２見付面１０１の上端の第２上側面１０１０が面一となっており、石膏９の流し込みを容易にしている。
【００６５】
扉体２が全閉姿勢にある時には、扉体２の上面が上枠１０の第１下面１０２に隙間Ｇを存して対向しており、室内側見付面の上方部位が中間見付面１０４に設けた熱膨張耐火部材１４に隙間Ｇを存して対向している。火災時の熱で熱膨張耐火部材１４が発泡膨張することで、扉体２の室内側見付面の上方部位と上枠１０の中間見付面１０４との隙間Ｇを開口幅方向に亘って塞ぐようになっている。熱膨張耐火部材１４は、第２下面１０３の第１見付面１００側の端部より僅かに第２見付面１０１側に位置しており、扉体２の閉鎖時には扉体２が戸当たりゴム（図示せず）に当接することで、扉体２の閉鎖時に扉体２が熱膨張耐火部材１４に当接することがなく、熱膨張耐火部材１４の劣化を可及的に防止している。
【００６６】
［Ｄ−２］下枠
下枠１１は開口幅方向に延びる部材であり、図５に示すように、第１見付面１１０と、第２見付面１１１と、上面１１２から断面視略コ字形状を有している。下枠１１は沓摺であって、大部分が床面ＦＬ内に埋設されており、上面１１２は、床面ＦＬよりも僅かに上方に位置して水平状に延びている。下枠１１内には石膏９が充填されている。下枠１１の内部に充填された石膏９は結晶水を含んでおり、火災時の熱によって当該結晶水が蒸発することに伴う吸熱によって下枠１１及び周囲の温度上昇を抑制する。また、第１見付面１１０の下端と第２見付面１１１の下端が同一水平面上にあり、石膏９の流し込みを容易にしている。扉体２が全閉姿勢にある時には、扉体２の下面が下枠１１の上面１１２に隙間Ｇを存して対向している。
【００６７】
［Ｄ−３］戸先側縦枠
戸先側縦枠１２は開口高方向に延びる部材であり、図６に示すように、戸先側縦枠１２は、第１見付面１２０と、第２見付面１２１と、第１見付面１２０側の第１見込面１２２と、第２見付面１２１側の第２見込面１２３とを有している。第１見込面１２２の第２見付面１２１側の部分と第２見込面１２３の第１見付面１２０側の部分との間には中間見付面１２４が形成されており、中間見付面１２４には高さ方向に亘って熱膨張耐火部材１４が設けてある。図示の態様では、第１見込面１２２の第２見付面１２１側の部分と第２見込面１２３の第１見付面１２０側の部分との間には凹部が形成されており、当該凹部内に設けた断面視コ字状の支持部材が中間見付面１２４を形成している。戸先側縦枠１２内には石膏９が充填されている。戸先側縦枠１２の内部に充填された石膏９は結晶水を含んでおり、火災時の熱によって当該結晶水が蒸発することに伴う吸熱によって戸先側縦枠１２及び周囲の温度上昇を抑制する。戸先側縦枠１２にはトロカバーＣ（図３（Ａ）参照）が設けてあるが、第１見込面１２２に面する部位を除いて、トロカバーＣの周囲には石膏９が充填されており、トロカバーＣを介する熱の伝達を抑制している。また、第１見付面１２０の壁側の第１見込面１２００と第２見付面１２１の壁側の第２見込面１２１０が面一となっており、石膏９の流し込みを容易にしている。
【００６８】
扉体２が全閉姿勢にある時には、扉体２の戸先側見込面が戸先側縦枠１２の第１見込面１２２に隙間Ｇを存して対向しており、室内側見付面の戸先側部位が中間見付面１２４に設けた熱膨張耐火部材１４に隙間Ｇを存して対向している。火災時の熱で熱膨張耐火部材１４が発泡膨張することで、扉体２の室内側見付面の戸先側部位と戸先側縦枠１２の中間見付面１２４との隙間Ｇを開口高方向に亘って塞ぐようになっている。熱膨張耐火部材１４は、第２見込面１２３の第１見付面１２０側の端部より僅かに第２見付面１２１側に位置しており、扉体２の閉鎖時には扉体２が戸当たりゴム（図示せず）に当接することで、扉体２の閉鎖時に扉体２が熱膨張耐火部材１４に当接することがなく、熱膨張耐火部材１４の劣化を可及的に防止している。
【００６９】
［Ｄ−４］戸尻側縦枠
戸尻側縦枠１３は開口高方向に延びる部材であり、図７に示すように、戸尻側縦枠１３は、第１見付面１３０と、第２見付面１３１と、第１見付面１３０側の第１見込面１３２と、第２見付面１３１側の第２見込面１３３とを有している。第１見込面１３２の第２見付面１３１側の部分と第２見込面１３３の第１見付面１３０側の部分との間には中間見付面１３４が形成されており、中間見付面１３４には高さ方向に亘って熱膨張耐火部材１４が設けてある。図示の態様では、第１見込面１３２の第２見付面１３１側の部分と第２見込面１３３の第１見付面１３０側の部分との間には凹部が形成されており、当該凹部内に設けた断面視コ字状の支持部材が中間見付面１３４を形成している。戸尻側縦枠１３内には石膏９が充填されている。戸尻側縦枠１３の内部に充填された石膏９は結晶水を含んでおり、火災時の熱によって当該結晶水が蒸発することに伴う吸熱によって戸尻側縦枠１３及び周囲の温度上昇を抑制する。また、第１見付面１３０の壁側の第１見込面１３００と第２見付面１３１の壁側の第２見込面１３１０が面一となっており、石膏９の流し込みを容易にしている。
【００７０】
扉体２が全閉姿勢にある時には、扉体２の戸尻側見込面が戸尻側縦枠１３の第１見込面１３２に隙間Ｇを存して対向しており、室内側見付面の戸尻側部位が中間見付面１３４に設けた熱膨張耐火部材１４に隙間Ｇを存して対向している。火災時の熱で熱膨張耐火部材１４が発泡膨張することで、扉体２の室内側見付面の戸尻側部位と戸尻側縦枠１３の中間見付面１３４との隙間Ｇを開口高方向に亘って塞ぐようになっている。熱膨張耐火部材１４は、第２見込面１３３の第１見付面１３０側の端部より僅かに第２見付面１３１側に位置しており、扉体２の閉鎖時には扉体２が戸当たりゴム（図示せず）に当接することで、扉体２の閉鎖時に扉体２が熱膨張耐火部材１４に当接することがなく、熱膨張耐火部材１４の劣化を可及的に防止している。
【００７１】
［Ｅ］ドア装置の詳細
［Ｅ−１］ドア装置の上方部位の構成
図４に示すように、扉体２の上方部位において、第１表面材２０の第１見付面２００の上方部位と上フレーム３の第１見付面部３０との間に位置して耐火芯材７Ａが設けてあり、第２表面材２１の第２見付面２１０の上方部位と上フレーム３の第２見付面部３１との間に位置して耐火芯材７Ｂが設けてある。第１表面材２０と上フレーム３、第２表面材２１と上フレーム３の間に耐火芯材７Ａ、７Ｂをそれぞれ挟むことで、第１表面材２０、第２表面材２１と上フレーム３との直接の接触を規制し、第１表面材２０から上フレーム３へ、あるいは、第２表面材２１から上フレーム３へ熱が直接伝達することを防止している。
【００７２】
耐火芯材７Ａの第１見付面７０と第１表面材２０の第１見付面２００の内面が当接しており、第２見付面７１の上方部位が上フレーム３の第１見付面部３０の外面に当接している。耐火芯材７Ａの高さ寸法は、上フレーム３の高さ寸法よりも大きく、耐火芯材７Ａの下方部位は、上フレーム３の下面３３を越えて下方に延びており、第１表面材２０の第１見付面２００と上フレーム３の第１見付面部３０と間の熱伝達経路（耐火芯材７Ａと耐火芯材８Ａの当接面ないし継ぎ目を通る熱伝達経路）を長くして熱伝達を抑制している。
【００７３】
耐火芯材７Ｂの第１見付面７０と第２表面材２１の第２見付面２１０の内面が当接しており、第２見付面７１の上方部位が上フレーム３の第２見付面部３１の外面に当接している。耐火芯材７Ｂの高さ寸法は、上フレーム３の高さ寸法よりも大きく、耐火芯材７Ｂの下方部位は、上フレーム３の下面３３を越えて下方に延びており、第２表面材２１の第２見付面２１０と上フレーム３の第２見付面部３１と間の熱伝達経路（耐火芯材７Ｂと耐火芯材８Ａの当接面ないし継ぎ目を通る熱伝達経路）を長くして熱伝達を抑制している。
【００７４】
耐火芯材８Ａの上側の周縁部の上面８２は、上フレーム３の下面３３に当接しており、第１上側見付面８００は、耐火芯材７Ａの第２見付面７１の下方部位に当接しており、第２上側見付面８１０は、耐火芯材７Ｂの第２見付面７１の下方部位に当接しており、第１上側水平面８０４は、耐火芯材７Ａの下面７５に当接しており、第２上側水平面８１４は、耐火芯材７Ｂの下面７５に当接しており、第１見付面８０は、第１表面材２０の第１見付面２００に当接しており、第２見付面８１は、第２表面材２１の第２見付面２１０に当接している。
【００７５】
耐火芯材８Ａと耐火芯材７Ａ、７Ｂ、上フレーム３との当接面ないし継ぎ目は、耐火芯材８Ａの上面８２と上フレーム３の下面３３、耐火芯材８Ａの第１上側見付面８００と耐火芯材７Ａの第２見付面７１の下方部位、耐火芯材８Ａの第２上側見付面８１０と耐火芯材７Ｂの第２見付面７１の下方部位、耐火芯材８Ａの第１上側水平面８０４と耐火芯材７Ａの下面７５、耐火芯材８Ａの第２上側水平面８１４と耐火芯材７Ｂの下面７５、耐火芯材８Ａの上面８２と上フレーム３の下面３３から断面視上向き凸状に形成されているので、耐火芯材８Ａと耐火芯材７Ａ、７Ｂ、上フレーム３との当接面ないし継ぎ目を通る熱伝達経路を長くして熱伝達を抑制している。
【００７６】
第１表面材２０の上辺２０１と耐火芯材７Ａの上面７４は当接しており、第２表面材２１の上辺２１１と耐火芯材７Ｂの上面７４は当接している。耐火芯材７Ａの上面７４、耐火芯材７Ｂの上面７４の高さ位置は、上フレーム３の上面部３２の外面よりも僅かに上方に位置しており、第１表面材２０の上辺２０１及び第２表面材２１の上辺２１１と上フレーム３の上面部３２との間には熱膨張耐火部材１４が設けられており、第１表面材２０の上辺２０１及び第２表面材２１の上辺２１１と上フレーム３の上面部３２が直接接触しないようになっている。第１表面材２０の上辺２０１は、石膏９が充填された上フレーム３の上面部３２に螺子１５によって固定されている。螺子１５は熱膨張耐火部材１４を貫通し、螺子１５の軸部は石膏９にねじ込まれている。第２表面材２１の上辺２１１は、石膏９が充填された上フレーム３の上面部３２に螺子１５によって固定されている。螺子１５は熱膨張耐火部材１４を貫通し、螺子１５の軸部は石膏９にねじ込まれている。螺子１５の軸部は石膏９に支持されているので、石膏９の吸熱効果により金属製の螺子１５を介する熱伝達を抑制する。第１表面材２０の上辺２０１の端縁と第２表面材２１の上辺２１１の端縁は離間しており、熱膨張耐火部材１４の部分が露出している。
【００７７】
扉体２の全閉姿勢時には、扉体２の上面が上枠１０の第１下面１０２に隙間Ｇを存して対向しており、火災時の熱で熱膨張耐火部材１４が発泡膨張することで、扉体２の上面と上枠１０の第１下面１０２との隙間Ｇおよび／あるいは第１表面材２０の上辺２０１、第２表面材２１の上辺２１１と上フレーム３の上面部３２との間に生じ得る隙間を開口幅方向に亘って塞ぐようになっている。
【００７８】
図８Ａ（Ａ）に示すように、耐火芯材８Ｂの上面８２´は、上フレーム３の下面３３の戸先側部位に当接しており、第１見付面８０´の上方部位が耐火芯材７Ａの第２見付面７１の下方部位に当接しており、第２見付面８１´の上方部位が耐火芯材７Ｂの第２見付面７１の下方部位に当接しており、第１見付面８０´の下方部位が耐火芯材７Ｅの第２見付面７１に当接しており、第２見付面８１´の下方部位が耐火芯材７Ｆの第２見付面７１に当接している。
【００７９】
耐火芯材７Ａの第２見付面７１の戸先側部位において、上側部位は上フレーム３の第１見付面部３０の外面の戸先側部位に当接しており、下側部位は戸先側縦フレーム５の第１見付面部５０の外面の上方部位に当接しており、耐火芯材７Ａの第２見付面７１の戸尻側部位において、上側部位は上フレーム３の第１見付面部３０の外面の戸尻側部位に当接しており、下側部位は戸尻側縦フレーム６の第１見付面部６０の外面の上方部位に当接している（図８参照）。同様に、耐火芯材７Ｂの第２見付面７１の戸先側部位において、上側部位は上フレーム３の第２見付面部３１の外面の戸先側部位に当接しており、下側部位は戸先側縦フレーム５の第２見付面部５１の外面の上方部位に当接しており、耐火芯材７Ｂの第２見付面７１の戸尻側部位において、上側部位は上フレーム３の第２見付面部３１の外面の戸尻側部位に当接しており、下側部位は戸尻側縦フレーム６の第２見付面部６１の外面の上方部位に当接している。
【００８０】
［Ｅ−２］ドア装置の下方部位の構成
図５に示すように、扉体２の下方部位において、第１表面材２０の第１見付面２００の下方部位と下フレーム４の第１見付面部４０との間に位置して耐火芯材７Ｃが設けてあり、第２表面材２１の第２見付面２１０の下方部位と下フレーム４の第２見付面部４１との間に位置して耐火芯材７Ｄが設けてある。第１表面材２０と下フレーム４、第２表面材２１と下フレーム４の間に耐火芯材７Ｃ、７Ｄをそれぞれ挟むことで、第１表面材２０、第２表面材２１と下フレーム４との直接の接触を規制し、第１表面材２０から下フレーム４へ、あるいは、第２表面材２１から下フレーム４へ熱が直接伝達することを防止している。
【００８１】
耐火芯材７Ｃの第１見付面７０と第１表面材２０の第１見付面２００の内面が当接しており、第２見付面７１の下方部位が下フレーム４の第１見付面部４０の外面に当接している。耐火芯材７Ｃの高さ寸法は、下フレーム４の高さ寸法よりも大きく、耐火芯材７Ｃの上方部位は、下フレーム４の上面４３を越えて上方に延びており、第１表面材２０の第１見付面２００と下フレーム４の第１見付面部４０と間の熱伝達経路（耐火芯材７Ｃと耐火芯材８Ａの当接面ないし継ぎ目を通る熱伝達経路）を長くして熱伝達を抑制している。
【００８２】
耐火芯材７Ｄの第１見付面７０と第２表面材２１の第２見付面２１０の内面が当接しており、第２見付面７１の下方部位が下フレーム４の第２見付面部４１の外面に当接している。耐火芯材７Ｄの高さ寸法は、下フレーム４の高さ寸法よりも大きく、耐火芯材７Ｄの上方部位は、下フレーム４の上面４３を越えて上方に延びており、第２表面材２１の第２見付面２１０と下フレーム４の第２見付面部４１と間の熱伝達経路（耐火芯材７Ｄと耐火芯材８Ａの当接面ないし継ぎ目を通る熱伝達経路）を長くして熱伝達を抑制している。
【００８３】
耐火芯材８Ａの下側の周縁部の下面８３は、下フレーム４の上面４３に当接しており、第１下側見付面８０１は、耐火芯材７Ｃの第２見付面７１の上方部位に当接しており、第２下側見付面８１１は、耐火芯材７Ｄの第２見付面７１の上方部位に当接しており、第１下側水平面８０５は、耐火芯材７Ａの上面７５に当接しており、第２下側水平面８１５は、耐火芯材７Ｂの上面７５に当接しており、第１見付面８０は、第１表面材２０の第１見付面２００に当接しており、第２見付面８１は、第２表面材２１の第２見付面２１０に当接している。
【００８４】
耐火芯材８Ａと耐火芯材７Ｃ、７Ｄ、下フレーム４との当接面ないし継ぎ目は、耐火芯材８Ａの下面８３と下フレーム４の上面４３、耐火芯材８Ａの第１下側見付面８０１と耐火芯材７Ｃの第２見付面７１の上方部位、耐火芯材８Ａの第２下側見付面８１１と耐火芯材７Ｄの第２見付面７１の上方部位、耐火芯材８Ａの第１下側水平面８０５と耐火芯材７Ｃの上面７５、耐火芯材８Ａの第２下側水平面８１５と耐火芯材７Ｄの上面７５、耐火芯材８Ａの下面８３と下フレーム４の上面４３から断面視下向き凸状に形成されているので、耐火芯材８Ａと耐火芯材７Ｃ、７Ｄ、下フレーム４との当接面ないし継ぎ目を通る熱伝達経路を長くして熱伝達を抑制している。
【００８５】
第１表面材２０の下辺２０２と耐火芯材７Ｃの下面７４は当接しており、第２表面材２１の下辺２１２と耐火芯材７Ｄの下面７４は当接している。耐火芯材７Ｃの下面７４、耐火芯材７Ｄの下面７４の高さ位置は、下フレーム４の下面部４２の外面よりも僅かに下方に位置しており、第１表面材２０の下辺２０２及び第２表面材２１の下辺２１２と下フレーム４の下面部４２との間には熱膨張耐火部材１４が設けられており、第１表面材２０の下辺２０２及び第２表面材２１の下辺２１２と下フレーム４の下面部４２が直接接触しないようになっている。第１表面材２０の下辺２０２は、石膏９が充填された下フレーム４の下面部４２に螺子１５によって固定されている。螺子１５は熱膨張耐火部材１４を貫通し、螺子１５の軸部は石膏９にねじ込まれている。第２表面材２１の下辺２１２は、石膏９が充填された下フレーム４の下面部４２に螺子１５によって固定されている。螺子１５は熱膨張耐火部材１４を貫通し、螺子１５の軸部は石膏９にねじ込まれている。螺子１５の軸部は石膏９に支持されているので、石膏９の吸熱効果により金属製の螺子１５を介する熱伝達を抑制する。第１表面材２０の下辺２０２の端縁と第２表面材２１の下辺２１２の端縁は離間しており、熱膨張耐火部材１４の部分が露出している。
【００８６】
扉体２の全閉姿勢時には、扉体２の下面が下枠１１の上面１１２に隙間Ｇを存して対向しており、火災時の熱で熱膨張耐火部材１４が発泡膨張することで、扉体２の下面と下枠１１の上面１１２との隙間Ｇおよび／あるいは第１表面材２０の下辺２０２、第２表面材２１の下辺２１２と下フレーム４の下面部４２との間に生じ得る隙間を開口幅方向に亘って塞ぐようになっている。
【００８７】
図８Ａ（Ａ）に示すように、耐火芯材８Ｅの下面８３´は、下フレーム４の上面４３の戸先側部位に当接しており、第１見付面８０´の下方部位が耐火芯材７Ｃの第２見付面７１の上方部位に当接しており、第２見付面８１´の下方部位が耐火芯材７Ｄの第２見付面７１の上方部位に当接しており、第１見付面８０´の上方部位が耐火芯材７Ｅの第２見付面７１に当接しており、第２見付面８１´の上方部位が耐火芯材７Ｆの第２見付面７１に当接している。
【００８８】
耐火芯材７Ｃの第２見付面７１の戸先側部位において、下側部位は下フレーム４の第１見付面部４０の外面の戸先側部位に当接しており、上側部位は戸先側縦フレーム５の第１見付面部５０の外面の下方部位に当接しており、耐火芯材７Ｃの第２見付面７１の戸尻側部位において、下側部位は下フレーム４の第１見付面部４０の外面の戸尻側部位に当接しており、上側部位は戸尻側縦フレーム６の第１見付面部６０の外面の下方部位に当接している（図８参照）。同様に、耐火芯材７Ｄの第２見付面７１の戸先側部位において、下側部位は下フレーム４の第２見付面部４１の外面の戸先側部位に当接しており、上側部位は戸先側縦フレーム５の第２見付面部５１の外面の下方部位に当接しており、耐火芯材７Ｃの第２見付面７１の戸尻側部位において、下側部位は下フレーム４の第２見付面部４１の外面の戸尻側部位に当接しており、上側部位は戸尻側縦フレーム６の第２見付面部６１の外面の下方部位に当接している。
【００８９】
［Ｅ−３］ドア装置の戸先側部位の構成
図６に示すように、扉体２の戸先側部位において、第１表面材２０の第１見付面２００の戸先側部位と戸先側縦フレーム５の第１見付面部５０の外面との間に位置して耐火芯材７Ｅが設けてあり、第２表面材２１の第２見付面２１０の戸先側部位と戸先側縦フレーム５の第２見付面部５１の外面との間に位置して耐火芯材７Ｆが設けてある。第１表面材２０と戸先側縦フレーム５、第２表面材２１と戸先側縦フレーム５の間に耐火芯材７Ｅ、７Ｆをそれぞれ挟むことで、第１表面材２０、第２表面材２１と戸先側縦フレーム５との直接の接触を規制し、第１表面材２０から戸先側縦フレーム５へ、あるいは、第２表面材２１から戸先側縦フレーム５へ熱が直接伝達することを防止している。
【００９０】
耐火芯材７Ｅの第１見付面７０と第１表面材２０の第１見付面２００の内面が当接しており、第２見付面７１の戸先側部位が戸先側縦フレーム５の第１見付面部５０の外面に当接している。耐火芯材７Ｅの見付寸法は、戸先側縦フレーム５の見付寸法よりも大きく、耐火芯材７Ｅの戸尻側部位は、戸先側縦フレーム５の戸尻側見込面５３を越えて戸尻側に延びており、第１表面材２０の第１見付面２００と戸先側縦フレーム５の第１見付面部５０と間の熱伝達経路（耐火芯材７Ｅと耐火芯材８Ａ、８Ｂ〜８Ｅの当接面ないし継ぎ目を通る熱伝達経路）を長くして熱伝達を抑制している。
【００９１】
さらに、耐火芯材７Ｅの見付寸法は、扉体２の戸先側部位に内蔵される錠前（第１錠２４、第２錠２５、第３錠）の見付寸法よりも大きく、耐火芯材７Ｅの戸尻側部位は、錠ケース２４０、２５０、２６０の戸尻側端面２４００、２５００、２６００、及び、耐火芯材８Ｂ〜８Ｅと耐火芯材８Ａの当接面ないし継ぎ目及び空間Ｓ、を越えて戸尻側に延びており、第１表面材２０の第１見付面２００と錠前（第１錠２４、第２錠２５、第３錠）と間の熱伝達経路（耐火芯材７Ｅと耐火芯材８Ａの当接面ないし継ぎ目を通る熱伝達経路）を長くして熱伝達を抑制している。
【００９２】
耐火芯材７Ｆの第１見付面７０と第２表面材２１の第２見付面２１０の内面が当接しており、第２見付面７１の戸先側部位が戸先側縦フレーム５の第２見付面部５１の外面に当接している。耐火芯材７Ｆの見付寸法は、戸先側縦フレーム５の見付寸法よりも大きく、耐火芯材７Ｆの戸尻側部位は、戸先側縦フレーム５の戸尻側見込面５３を越えて戸尻側に延びており、第２表面材２１の第２見付面２１０と戸先側縦フレーム５の第２見付面部５１と間の熱伝達経路（耐火芯材７Ｆと耐火芯材８Ａ、８Ｂ〜８Ｅの当接面ないし継ぎ目を通る熱伝達経路）を長くして熱伝達を抑制している。
【００９３】
さらに、耐火芯材７Ｆの見付寸法は、扉体２の戸先側部位に内蔵される錠前（第１錠２４、第２錠２５、第３錠）の見付寸法よりも大きく、耐火芯材７Ｆの戸尻側部位は、錠ケース２４０、２５０、２６０の戸尻側端面２４００、２５００、２６００、及び、耐火芯材８Ｂ〜８Ｅと耐火芯材８Ａの当接面ないし継ぎ目及び空間Ｓ、を越えて戸尻側に延びており、第２表面材２１の第２見付面２１０と錠前（第１錠２４、第２錠２５、第３錠）と間の熱伝達経路（耐火芯材７Ｆと耐火芯材８Ａの当接面ないし継ぎ目を通る熱伝達経路）を長くして熱伝達を抑制している。
【００９４】
耐火芯材８Ａの戸先側周縁部と耐火芯材８Ｂ〜８Ｅが一体となって、第１耐火芯材８の戸先側周縁部を形成している。すなわち、第１耐火芯材８全体として見た時に、耐火芯材８Ａの上側周縁部、下側周縁部、戸尻側周縁部が、それぞれ第１耐火芯材８の上側周縁部、下側周縁部、戸尻側周縁部であるが、第１耐火芯材８の戸先側周縁部は、耐火芯材８Ａの戸先側周縁部と耐火芯材８Ｂ〜８Ｅから形成されている。第１耐火芯材８の戸先側周縁部は、四周状のフレームの戸先側部位（戸先側縦フレーム５と、上フレーム３及び下フレーム４の戸先側部位）と、第２耐火芯材７Ｅ、７Ｆ、７Ａ、７Ｂ、７Ｃ、７Ｄから形成された凹状部内において、耐火芯材８Ａの戸先側周縁部と耐火芯材８Ｂ〜８Ｅに分割されている。耐火芯材８Ｂ〜８Ｅの戸先側見込面８７は、戸先側縦フレーム５の戸尻側見込面５３に当接している。耐火芯材８Ａの第１戸先側見付面８０２と耐火芯材８Ｂ〜８Ｅの第１見付面８０´は、一体で第１耐火芯材８の第１戸先側見付面を形成しており、前記第１戸先側見付面は、耐火芯材７Ｅの第２見付面７１に当接している。耐火芯材８Ａの第２戸先側見付面８１２と耐火芯材８Ｂ〜８Ｅの第２見付面８１´は、一体で第１耐火芯材８の第２戸先側見付面を形成しており、前記第２戸先側見付面は、耐火芯材７Ｆの第２見付面７１に当接している。耐火芯材８Ａの第１戸先側垂直面８０６は、耐火芯材７Ｇの見込面７５に当接しており、第２戸先側垂直面８１６は、耐火芯材７Ｆの見込面７５に当接しており、第１見付面８０は、第１表面材２０の第１見付面２００に当接しており、第２見付面８１は、第２表面材２１の第２見付面２１０に当接している。
【００９５】
耐火芯材８Ａと耐火芯材７Ｅ、７Ｆ、耐火芯材８Ｂ〜８Ｅとの当接面ないし継ぎ目は、耐火芯材８Ａの第１戸先側見付面８０２と耐火芯材７Ｅの第２見付面７１の戸尻側部位、耐火芯材８Ａの第２戸先側見付面８１２と耐火芯材７Ｆの第２見付面７１の戸尻側部位、耐火芯材８Ａの第１戸先側垂直面８０６と耐火芯材７Ｅの見込面７５、耐火芯材８Ａの第２戸先側垂直面８１６と耐火芯材７Ｆの見込面７５、耐火芯材８Ａの戸先側見込面８４と耐火芯材８Ｂ〜８Ｅの戸尻側見込面８８から断面視横向き略凸状に形成されていると共に、さらに、耐火芯材８Ａの戸先側見込面８４と耐火芯材８Ｂ〜８Ｅの戸尻側見込面８８は、第１面８４０、第２面８４１、第３面８４２と、第１面８８０、第２面８８１、第３面８８２によって空間Ｓを形成して当接しているので、耐火芯材８Ａと耐火芯材７Ｅ、７Ｆ、耐火芯材８Ｂ〜８Ｅとの当接面ないし継ぎ目を通る熱伝達経路を長くして熱伝達を抑制している。
【００９６】
図８Ａに示すように、本実施形態では、第１耐火芯材８の戸先側周縁部は、第２錠２５の上側に隣接する第１戸先側周縁部（耐火芯材８Ａの戸先側周縁部＋耐火芯材８Ｂ）と、第２錠２５の下側に隣接し、第１錠２４の上側に隣接する第２戸先側周縁部（耐火芯材８Ａの戸先側周縁部＋耐火芯材８Ｃ）と、第１錠２４の下側に隣接し、第３錠２６の上側に隣接する第３戸先側周縁部（耐火芯材８Ａの戸先側周縁部＋耐火芯材８Ｄ）と、第３錠２６の下側に隣接する第４戸先側周縁部（耐火芯材８Ａの戸先側周縁部＋耐火芯材８Ｅ）を含んでいる。第１錠２４については、第２戸先側周縁部が上側戸先側周縁部、第３戸先側周縁部が下側戸先側周縁部であり、第２錠２５については、第１戸先側周縁部が上側戸先側周縁部、第２戸先側周縁部が下側戸先側周縁部であり、第３錠２６については、第３戸先側周縁部が上側戸先側周縁部、第４戸先側周縁部が下側戸先側周縁部である。図８Ａに示すように、第１錠２４は、耐火芯材７Ｅの第２見付面７１、耐火芯材７Ｆの第２見付面７１、耐火芯材８Ｃの下面８３´、耐火芯材８Ｄの上面８２´、耐火芯材８Ａの中間見込面８４３によって囲まれている。第２錠２５は、耐火芯材７Ｅの第２見付面７１、耐火芯材７Ｆの第２見付面７１、耐火芯材８Ｂの下面８３´、耐火芯材８Ｃの上面８２´耐火芯材８Ａの中間見込面８４３によって囲まれている。第３錠２６は、耐火芯材７Ｅの第２見付面７１、耐火芯材７Ｆの第２見付面７１、耐火芯材８Ｄの下面８３´、耐火芯材８Ｅの上面８２´、耐火芯材８Ａの中間見込面８４３によって囲まれている。また、第１錠２４と第２錠２５との間、第１錠２４と第３錠２６との間で延びるロッド２７は、耐火芯材８Ａと耐火芯材８Ｃ、８Ｄで囲まれた空間Ｓ内に位置している。このように構成したことで、加熱面からの熱による第１錠２４、第２錠２５、第３錠２６、ロッド２７の温度上昇が抑制され、第１錠２４、第２錠２５、第３錠２６、ロッド２７を介しての非加熱面側への熱伝達が抑制されている。
【００９７】
第１表面材２０の第１側辺２０３と耐火芯材７Ｅの見込面７４は当接しており、第２表面材２１の側辺２１３と耐火芯材７Ｆの見込面７４は当接している。耐火芯材７Ｅの見込面７４、耐火芯材７Ｆの見込面７４の位置は、戸先側縦フレーム５の見込面部５２の外面よりも僅かに戸先側に位置しており、第１表面材２０の第１側辺２０３及び第２表面材２１の第１側辺２１３と戸先側縦フレーム５の見込面部５２との間には熱膨張耐火部材１４が設けられており、第１表面材２０の第１側辺２０３及び第２表面材２１の第１側辺２１３と戸先側縦フレーム５の見込面部５２が直接接触しないようになっている。第１表面材２０の第１側辺２０３は、石膏９が充填された戸先側縦フレーム５の見込面部５２に螺子１５によって固定されている。螺子１５は熱膨張耐火部材１４を貫通し、螺子１５の軸部は石膏９にねじ込まれている。第２表面材２１の第１側辺２１３は、石膏９が充填された戸先側縦フレーム５の見込面部５２に螺子１５によって固定されている。螺子１５は熱膨張耐火部材１４を貫通し、螺子１５の軸部は石膏９にねじ込まれている。螺子１５の軸部は石膏９に支持されているので、石膏９の吸熱効果により金属製の螺子１５を介する熱伝達を抑制する。第１表面材２０の第１側辺２０３の端縁と第２表面材２１の第１側辺２１３の端縁は離間しており、熱膨張耐火部材１４の部分が露出している。
【００９８】
扉体２の全閉姿勢時には、扉体２の戸先側見込面が戸先側縦枠１２の第１見込面１２２に隙間Ｇを存して対向しており、火災時の熱で熱膨張耐火部材１４が発泡膨張することで、扉体２の戸先側見込面と戸先側縦枠１２の第１見込面１２２との隙間Ｇおよび／あるいは第１表面材２０の第１側辺２０３、第２表面材２１の第１側辺２１３と戸先側縦フレーム５の見込面部５２との間に生じ得る隙間を開口高方向に亘って塞ぐようになっている。
【００９９】
［Ｅ−４］ドア装置の戸尻側部位の構成
図７に示すように、扉体２の戸尻側部位において、第１表面材２０の第１見付面２００の戸尻側部位と戸尻側縦フレーム６の第１見付面部６０との間に位置して耐火芯材７Ｇが設けてあり、第２表面材２１の第２見付面２１０の戸尻側部位と戸尻側縦フレーム６の第２見付面部６１との間に位置して耐火芯材７Ｈが設けてある。第１表面材２０と戸尻側縦フレーム６、第２表面材２１と戸尻側縦フレーム６の間に耐火芯材７Ｇ、７Ｈをそれぞれ挟むことで、第１表面材２０、第２表面材２１と戸尻側縦フレーム６との直接の接触を規制し、第１表面材２０から戸尻側縦フレーム６へ、あるいは、第２表面材２１から戸尻側縦フレーム６へ熱が直接伝達することを防止している。
【０１００】
耐火芯材７Ｇの第１見付面７０と第１表面材２０の第１見付面２００の内面が当接しており、第２見付面７１の戸尻側部位が戸尻側縦フレーム６の第１見付面部６０の外面に当接している。耐火芯材７Ｇの見付寸法は、戸尻側縦フレーム６の見付寸法よりも大きく、耐火芯材７Ｇの戸先側部位は、戸尻側縦フレーム６の戸先側見込面６３を越えて戸先側に延びており、第１表面材２０の第１見付面２００と戸尻側縦フレーム６の第１見付面部６０と間の熱伝達経路（耐火芯材７Ｇと耐火芯材８Ａの当接面ないし継ぎ目を通る熱伝達経路）を長くして熱伝達を抑制している。
【０１０１】
耐火芯材７Ｈの第１見付面７０と第２表面材２１の第２見付面２１０の内面が当接しており、第２見付面７１の戸尻側部位が戸尻側縦フレーム６の第２見付面部６１の外面に当接している。耐火芯材７Ｈの見付寸法は、戸尻側縦フレーム６の見付寸法よりも大きく、耐火芯材７Ｈの戸先側部位は、戸尻側縦フレーム６の戸先側見込面６３を越えて戸先側に延びており、第２表面材２１の第２見付面２１０と戸尻側縦フレーム６の第２見付面部６１と間の熱伝達経路（耐火芯材７Ｈと耐火芯材８Ａの当接面ないし継ぎ目を通る熱伝達経路）を長くして熱伝達を抑制している。
【０１０２】
耐火芯材８Ａの戸尻側の周縁部の見込面８５は、戸尻側縦フレーム６の戸先側見込面６３に当接しており、第１戸尻側見付面８０３は、耐火芯材７Ｇの第２見付面７１の戸先側部位に当接しており、第２戸尻側見付面８１３は、耐火芯材７Ｈの第２見付面７１の戸先側部位に当接しており、第１戸尻側垂直面８０７は、耐火芯材７Ｇの見込面７５に当接しており、第２戸尻側垂直面８１７は、耐火芯材７Ｈの見込面７５に当接しており、第１見付面８０は、第１表面材２０の第１見付面２００に当接しており、第２見付面８１は、第２表面材２１の第２見付面２１０に当接している。
【０１０３】
耐火芯材８Ａと耐火芯材７Ｇ、７Ｈ、戸尻側縦フレーム６との当接面ないし継ぎ目は、耐火芯材８Ａの第１戸尻側見付面８０３と耐火芯材７Ｇの第２見付面７１の戸先側部位、耐火芯材８Ａの第２戸尻側見付面８１３と耐火芯材７Ｈの第２見付面７１の戸先側部位、
耐火芯材８Ａの第１戸尻側垂直面８０７と耐火芯材７Ｇの見込面７５、耐火芯材８Ａの第２戸尻側垂直面８１７と耐火芯材７Ｈの見込面７５、耐火芯材８Ａの見込面８５と戸尻側縦フレーム６の戸先側見込面６３から断面視横向き凸状に形成されているので、耐火芯材８Ａと耐火芯材７Ｇ、７Ｈ、戸尻側縦フレーム６との当接面ないし継ぎ目を通る熱伝達経路を長くして熱伝達を抑制している。
【０１０４】
第１表面材２０の第２側辺２０４と耐火芯材７Ｇの見込面７４は当接しており、第２表面材２１の第２側辺２１４と耐火芯材７Ｈの見込面７４は当接している。耐火芯材７Ｇの見込面７４、耐火芯材７Ｈの見込面７４の位置は、戸尻側縦フレーム６の見込面部６２の外面よりも僅かに戸尻側に位置しており、第１表面材２０の第２側辺２０４及び第２表面材２１の第２側辺２１４と戸尻側縦フレーム６の見込面部６２との間には熱膨張耐火部材１４が設けられており、第１表面材２０の第２側辺２０４及び第２表面材２１の第２側辺２１４と戸尻側縦フレーム６の見込面部６２が直接接触しないようになっている。第１表面材２０の第２側辺２０４は、石膏９が充填された戸尻側縦フレーム６の見込面部６２に螺子１５によって固定されている。螺子１５は熱膨張耐火部材１４を貫通し、螺子１５の軸部は石膏９にねじ込まれている。第２表面材２１の第２側辺２１４は、石膏９が充填された戸尻側縦フレーム６の見込面部６２に螺子１５によって固定されている。螺子１５は熱膨張耐火部材１４を貫通し、螺子１５の軸部は石膏９にねじ込まれている。螺子１５の軸部は石膏９に支持されているので、石膏９の吸熱効果により金属製の螺子１５を介する熱伝達を抑制する。第１表面材２０の第２側辺２０４の端縁と第２表面材２１の第２側辺２１４の端縁は離間しており、熱膨張耐火部材１４の部分が露出している。
【０１０５】
扉体２の全閉姿勢時には、扉体２の戸尻側見込面が戸尻側縦枠１３の第１見込面１３２に隙間Ｇを存して対向しており、火災時の熱で熱膨張耐火部材１４が発泡膨張することで、扉体２の戸尻側見込面と戸尻側縦枠１３の第１見込面１３２との隙間Ｇおよび／あるいは第１表面材２０の第２側辺２０４、第２表面材２１の第２側辺２１４と戸尻側縦フレーム６の見込面部６２との間に生じ得る隙間を開口高方向に亘って塞ぐようになっている。
【０１０６】
［Ｆ］他の実施形態
図１３〜図１６に、扉体２の他の実施形態を示す。既述の第１実施形態と共通の要素については同一の参照番号が付してあり、共通の要素についての説明には、既述の実施形態に係る記載を適宜援用することができる。また、遮熱性の扉体２としての基本的な構成は全ての実施形態を通して共通しているので、図１３〜図１６に図示されていない事項であっても、第１実施形態に係る記載を適宜参照することができる。
【０１０７】
［Ｆ−１］扉体の第２実施形態
図１３に示す第２実施形態では、第１耐火芯材８を１部材（第１耐火芯材８´）から一体形成している。より具体的には、第１耐火芯材８´は、第１実施形態の耐火芯材８Ａの戸先側の周縁部と耐火芯材８Ｂ〜８Ｅが一体化されたものであり、戸先側周縁部の所定位置を高さ方向に穿孔することで、ロッド２７を受け入れる空間Ｓが形成されている。第２実施形態では、第１耐火芯材８を分割するものに比べて、耐火芯材の欠損が少なく、また、第１耐火芯材８´には継ぎ目が無いので遮熱性が良好である。
【０１０８】
［Ｆ−２］扉体の第３実施形態
図１４に示す第３実施形態の基本的な構成は、第１実施形態と同様であり、第１実施形態の説明を援用することができる。第３実施形態が第１実施形態と異なる点は、第１耐火芯材８を構成する耐火芯材８Ａ´の戸先側見込面と、耐火芯材８Ｂ´〜８Ｅ´の戸尻側見込面の当接面ないし継ぎ目の形状にある。第３実施形態では、当接面のあいじゃくりの幅を大きくすることで、当接面の遮熱性を向上させている。
【０１０９】
［Ｆ−３］扉体の第４実施形態
図１５に示す第４実施形態の特徴は、第１表面材２０、第２表面材２１と、四周状のフレームとの間に位置して設けた第２耐火芯材７Ｉ、７Ｊを、扉体２の見付面全体に亘って配置した点にある。第４実施形態では、第２耐火芯材７Ｉ、７Ｊと第１耐火芯材８´´との間の目地（扉体２の厚さ方向に延びる当接面ないし継ぎ目）が無いので、遮熱性が向上する。第２実施形態と同様に、第１耐火芯材８´´の戸先側部位の所定位置を高さ方向に穿孔することで、ロッド２７を受け入れる空間Ｓが形成されている。
【０１１０】
［Ｆ−４］扉体の第５実施形態
図１６に示す第５実施形態の特徴は、第４実施形態と同様に、第１表面材２０、第２表面材２１と、四周状のフレームとの間に位置して設けた第２耐火芯材７Ｉ、７Ｊを、扉体２の見付面全体に亘って配置した点にある。第５実施形態では、第２耐火芯材７Ｉ、７Ｊと第１耐火芯材８´´との間の目地（扉体２の厚さ方向に延びる当接面ないし継ぎ目）が無いので、遮熱性が向上する。第５実施形態が第４実施形態と異なる点は、第４実施形態の第１耐火芯材８´´を第１耐火芯材８Ｆ、８Ｇに厚さ方向に２分割し、第１耐火芯材８Ｆ、８Ｇの対向する面にそれぞれ形成した高さ方向に延びる凹部を組み合わせることで当接面ないし継ぎ目にロッド２７を受け入れる空間Ｓが形成されている。すなわち、第１耐火芯材８´´は、空間Ｓに位置して当該空間Ｓの高さ方向に沿って分割された第１要素（耐火芯材８Ｆ）と第２要素（耐火芯材８Ｇ）とからなり、第１要素（耐火芯材８Ｆ）は、第１当接面と高さ方向に延びる第１部位（凹状部）を備え、第２要素（耐火芯材８Ｇ）は、第２当接面と高さ方向に延びる第２部位（凹状部）を備え、空間Ｓは、第１要素の前記第１当接面と第２要素の前記第２当接面が当接した状態において、前記第１部位（凹状部）と前記第２部位（凹状部）とから形成される。
【０１１１】
［Ｇ］ドア装置の製造法
［Ｇ−１］ドア枠の製造法
上枠１０、下枠１１、戸先側縦枠１２、戸尻側縦枠１３を四周状に組み立ててドア枠１を得る。上枠１０、下枠１１、戸先側縦枠１２、戸尻側縦枠１３の接続手段としては溶接が例示される。ドア枠１の上枠１０、下枠１１、戸先側縦枠１２、戸尻側縦枠１３から１つの枠を選択して、石膏９を流し込み当該枠内で固化させ、次いで残りの３つの枠から１つの枠を選択して、石膏９を流し込み当該枠内で固化させ、次いで残りの２つの枠から１つの枠を選択して、石膏９を流し込み当該枠内で固化させ、最後の１つの枠に石膏９を流し込み当該枠内で固化させることで、石膏９が充填されたドア枠１を製作し、開口部に設置する。
【０１１２】
［Ｇ−２］扉体の製造方法
扉体２の製造方法について、第１実施形態に基づいて説明する。第１表面材２０、第２表面材２１、上フレーム３、下フレーム４、戸先側縦フレーム５、戸尻側縦フレーム６、耐火芯材７Ａ〜７Ｈ、耐火芯材８Ａ〜８Ｅ、第１錠２４、第２錠２５、第３錠２６及びロッド２７からなる錠装置、熱膨張耐火部材１４、螺子１５を用意する。上フレーム３、下フレーム４、戸先側縦フレーム５、戸尻側縦フレーム６の内部空間に石膏９を流し込んで固化させ、内部空間に石膏９が充填された上フレーム３、下フレーム４、戸先側縦フレーム５、戸尻側縦フレーム６を得る。熱膨張耐火部材１４は所定幅で接着層を備えたテープ状の長尺部材であり、扉体２の組立てに先立って、上フレーム３の上面部３２の外面、下フレーム４の下面部４２の外面、戸先側縦フレーム５の見込面部５２の外面、戸尻側縦フレーム６の見込面部６２の外面に貼り付けられる。なお、以下に述べる工程において、第１表面材２０、第２表面材２１の裏面と、耐火芯材７Ａ〜７Ｈ、耐火芯材８Ａが当接する面同士を接着剤等で密着させてもよい。
【０１１３】
（１）第１表面材２０の主面部２００を床面等の平らな面に載置する。この時、第１表面材２０の主面部２００の裏面が上方に向き、上辺２０１、下辺２０２、第１側辺２０３、第２側辺２０４が垂直状に立ち上がっている。
【０１１４】
（２）第１表面材２０の主面部２００の裏面の周囲に耐火芯材７Ａ、７Ｃ、７Ｅ、７Ｇを四周状に載置する。この時、各耐火芯材７Ａ、７Ｃ、７Ｅ、７Ｇの第１見付面７０が主面部２００の裏面に当接し、第３端面７４がそれぞれ上辺２０１、下辺２０２、第１側辺２０３、第２側辺２０４の内面に当接し、耐火芯材７Ａ、７Ｃの第１端面７２、第２端面７３がそれぞれ第１側辺２０３、第２側辺２０４の内面に当接し、耐火芯材７Ｅ、７Ｇの第１端面７２、第２端面７３がそれぞれ耐火芯材７Ａ、７Ｃの第４端面（下面７５、上面７５）に当接する。
【０１１５】
（３）第１表面材２０の主面部２００及び耐火芯材７Ａ、７Ｃ、７Ｅ、７Ｇに対して、上フレーム３、下フレーム４、戸先側縦フレーム５、戸尻側縦フレーム６を載置する。第１表面材２０の上辺２０１に沿って、耐火芯材７Ａ上に上フレーム３を載置し、下辺２０２に沿って、耐火芯材７Ｃ上に下フレーム４を載置し、第１側辺２０３に沿って、耐火芯材７Ｅ上に戸先側縦フレーム５を載置し、第２側辺２０４に沿って、耐火芯材７Ｇ上に戸尻側フレーム６を載置する。上フレーム３、下フレーム４、戸先側縦フレーム５、戸尻側縦フレーム６を載置する順番は問わない。上フレーム３、下フレーム４、戸先側縦フレーム５、戸尻側縦フレーム６からなる四周状のフレームにおいて、第１見付面部３０、４０、５０、６０の外面は、それぞれ、耐火芯材７Ａ、７Ｃ、７Ｅ、７Ｇの第２見付面７１に当接している。上フレーム３の上面部３２、下フレーム４の下面部４２、戸先側縦フレーム５、戸尻側縦フレーム６の見込面部５２、６２の外面と、第１表面材２０の上辺２０１、下辺２０２、第１側辺２０３、第２側辺２０４の内面との間には、それぞれ熱膨張耐火部材１４の幅方向半部が挟持された状態となっている。
【０１１６】
（４）第１表面材２０の上辺２０１と上フレーム３の上面部３２間に熱膨張耐火部材１４を挟んだ状態で、螺子１５を用いて上辺２０１を上面部３２に固定する。螺子１５の軸部は上面部３２を貫通して、上フレーム３に充填された石膏９にねじ込まれる。第１表面材２０の下辺２０２と下フレーム４の下面部４２間に熱膨張耐火部材１４を挟んだ状態で、螺子１５を用いて下辺２０２を下面部４２に固定する。螺子１５の軸部は下面部４２を貫通して、下フレーム４に充填された石膏９にねじ込まれる。第１表面材２０の第１側辺２０３と戸先側縦フレーム５の見込面部５２間に熱膨張耐火部材１４を挟んだ状態で、螺子１５を用いて第１側辺２０３を見込面部５２に固定する。螺子１５の軸部は見込面部５２を貫通して、戸先側縦フレーム５に充填された石膏９にねじ込まれる。第１表面材２０の第２側辺２０４と戸尻側縦フレーム６の見込面部６２間に熱膨張耐火部材１４を挟んだ状態で、螺子１５を用いて第２側辺２０４を見込面部６２に固定する。螺子１５の軸部は見込面部６２を貫通して、戸尻側縦フレーム６に充填された石膏９にねじ込まれる。
【０１１７】
（５）上フレーム３、下フレーム４、戸先側縦フレーム５、戸尻側縦フレーム６からなる四周状のフレームで囲まれた空間内において、第１表面材２０の主面部２００、耐火芯材７Ａ、７Ｃ、７Ｅ、７Ｇ、に対して、耐火芯材８Ａを重ねる。耐火芯材８Ａの第１見付面８０の形状及び寸法は、第１表面材２０の主面部２００の裏面上に四周状に載置された耐火芯材７Ａ、７Ｃ、７Ｅ、７Ｇの第４端面７５によって囲まれた方形領域（第１表面材２０の主面部２００の裏面が露出している）と実質的に同じであり、耐火芯材８Ａの第１見付面８０は第１表面材２０の主面部２００の裏面に当接する。耐火芯材８Ａの第１上側見付面８００、第１下側見付面８０１、第１戸先側見付面８０２、第１戸尻側見付面８０３はそれぞれ、耐火芯材７Ａ、７Ｃ、７Ｅ、７Ｇの第２見付面７１に当接し、第１上側水平面８０４、第１下側水平面８０５、第１戸先側垂直面８０６、第１戸尻側垂直面８０７は、それぞれ、耐火芯材７Ａ、７Ｃ、７Ｅ、７Ｇの第４端面７５に当接している。なお、上フレーム３、下フレーム４、戸先側縦フレーム５、戸尻側縦フレーム６、耐火芯材８Ａを載置する順序は限定されず、耐火芯材８Ａを載置した後に上フレーム３、下フレーム４、戸先側縦フレーム５、戸尻側縦フレーム６を載置してもよい。
【０１１８】
（６）戸先側縦フレーム５の所定位置に第１錠２４、第２錠２５、第３錠２６を設け、第１錠２４と第２錠２５の間、第１錠２４と第３錠２６の間にロッド２７をセットする。ロッド２７は、耐火芯材８Ａの第３面８４２上に位置している。
【０１１９】
（７）耐火芯材８Ａの戸先側部位及び耐火芯材７Ｅの第２見付面７１上の所定位置に、耐火芯材８Ｂ〜８Ｅを重ねる。この時、各耐火芯材８Ｂ〜８Ｅの第１見付面８０´が耐火芯材７Ｅの第２見付面７１に当接しており、各耐火芯材８Ｂ〜８Ｅの第１面８８０の一部が耐火芯材８Ａの第１面８４０に当接し、各耐火芯材８Ｂ〜８Ｅの第２面８８１が耐火芯材８Ａの第２面８４１の一部に当接する。耐火芯材８Ｃ、８Ｄの第３面８８２がロッド２７を覆うように載置される。上フレーム３の下面３３、下フレーム４の上面４３、戸先側縦フレーム５の戸尻側見込面５３、戸尻側縦フレーム６の戸先側見込面６３は、それぞれ、耐火芯材８Ａ、８Ｂの上面８２、８２´、耐火芯材８Ａ、８Ｅの下面８３、８３´、耐火芯材８Ｂ〜８Ｅの戸先側見込面８７、耐火芯材８Ａの戸尻側見込面８５と当接している。
【０１２０】
（８）第１表面材２０に耐火芯材７Ａ、７Ｃ、７Ｅ、７Ｇ、耐火芯材８Ａ〜８Ｅ、上フレーム３、下フレーム４、戸先側縦フレーム５、戸尻側縦フレーム６を重ねるように載置した状態において、四周状のフレーム上に耐火芯材７Ｂ、７Ｄ、７Ｆ、７Ｈを四周状に載置する。上フレーム３の第２見付面部３１の外面及び耐火芯材８Ａの第２上側見付面８１０、下フレーム４の第２見付面部４１の外面及び耐火芯材８Ａの第２下側見付面８１１、戸先側縦フレーム５の第２見付面部５１の外面、耐火芯材８Ａの第２戸先側見付面８１２及び耐火芯材８Ｂ〜８Ｅの第２見付面８１´、戸尻側縦フレーム６の第２見付面部６１の外面及び耐火芯材８Ａの第２戸尻側見付面８１３には、耐火芯材７Ｂ、７Ｄ、７Ｆ、７Ｈの第２見付面７１がそれぞれ当接する。耐火芯材７Ｂ、７Ｄ、７Ｆ、７Ｈの第４端面７５は、それぞれ、耐火芯材８Ａの第２上側水平面８１４、第２下側水平面８１５、第２戸先側垂直面８１６、第２戸尻側垂直面８１７に当接している。
【０１２１】
（９）第２表面材２１を被せる。第２表面材２１の主面部２１０の裏面が、耐火芯材７Ｂ、７Ｄ、７Ｆ、７Ｈの第１見付面７０に当接し、上辺２１１、下辺２１２、第１側辺２１３、第２側辺２１４の内面が耐火芯材７Ｂ、７Ｄ、７Ｆ、７Ｈの第３端面７４に当接する。上フレーム３の上面部３２、下フレーム４の下面部４２、戸先側縦フレーム５、戸尻側縦フレーム６の見込面部５２、６２の外面と、第２表面材２１の上辺２１１、下辺２１２、第１側辺２１３、第２側辺２１４の内面と、の隙間に熱膨張耐火部材１４の残りの幅方向半部が挟まれた状態となる。
【０１２２】
（１０）第２表面材２１の上辺２１１と上フレーム３の上面部３２間に熱膨張耐火部材１４を挟んだ状態で、螺子１５を用いて上辺２１１を上面部３２に固定する。螺子１５の軸部は上面部３２を貫通して、上フレーム３に充填された石膏９にねじ込まれる。第２表面材２１の下辺２１２と下フレーム４の下面部４２間に熱膨張耐火部材１４を挟んだ状態で、螺子１５を用いて下辺２１２を下面部４２に固定する。螺子１５の軸部は下面部４２を貫通して、下フレーム４に充填された石膏９にねじ込まれる。第２表面材２１の第１側辺２１３と戸先側縦フレーム５の見込面部５２間に熱膨張耐火部材１４を挟んだ状態で、螺子１５を用いて第１側辺２１３を見込面部５２に固定する。螺子１５の軸部は見込面部５２を貫通して、戸先側縦フレーム５に充填された石膏９にねじ込まれる。第２表面材２１の第２側辺２１４と戸尻側縦フレーム６の見込面部６２間に熱膨張耐火部材１４を挟んだ状態で、螺子１５を用いて第２側辺２１４を見込面部６２に固定する。螺子１５の軸部は見込面部６２を貫通して、戸尻側縦フレーム６に充填された石膏９にねじ込まれる。
【符号の説明】
【０１２３】
１  ドア枠
２  扉体
２０  第１表面材
２１  第２表面材
２４  第１錠
２５  第２錠
２６  第３錠
２７  ロッド
３  上フレーム
４  下フレーム
５  戸先側縦フレーム
６  戸尻側縦フレーム
７（７Ａ〜７Ｈ）  第２耐火芯材（周囲耐火芯材）
７Ｅ、７Ｆ  戸先側周囲耐火芯材
８（８Ａ〜８Ｅ）  第１耐火芯材
８Ａ、８Ａ´、８Ｆ  第１要素
８Ｃ、８Ｄ、８Ｃ´、８Ｄ´、８Ｇ  第２要素
８４０  第１面（第１当接面）
８４１  第２面（第１部位）
８４２  第３面（第１部位）
８８０  第１面（第２部位）
８８１  第２面（第２当接面）
８８２  第３面（第２部位）
９  石膏
１４  熱膨張耐火部材
１５  螺子
Ｇ  隙間
Ｌ  ラッチ
Ｓ  空間
【図１】
2019148054.tif 000003
【図２】
2019148054.tif 000004
【図３】
2019148054.tif 000005
【図４】
2019148054.tif 000006
【図５】
2019148054.tif 000007
【図６】
2019148054.tif 000008
【図７】
2019148054.tif 000009
【図８】
2019148054.tif 000010
【図８Ａ】
2019148054.tif 000011
【図９】
2019148054.tif 000012
【図１０】
2019148054.tif 000013
【図１１】
2019148054.tif 000014
【図１２】
2019148054.tif 000015
【図１３】
2019148054.tif 000016
【図１４】
2019148054.tif 000017
【図１５】
2019148054.tif 000018
【図１６】
2019148054.tif 000019